(57)【要約】      （修正有）【課題】双方向通信チャネルを介して端末と通信することを目的とする少なくとも１つの基地局を含む無線通信システムでの伝送方法である。【解決手段】基地局と、少なくとも１つの補助シンボルを受信又は送信できる少なくとも１つの端末との間で上記少なくとも１つの補助シンボルを転送する。基地局は、端末の第１の群と、少なくとも１つの端末の少なくとももう１つの群とを形成し、端末の第１の群は、少なくとも、上記少なくとも補助シンボルを受信且つ／又は送信できない端末を含み、少なくとも１つの端末の他の群は、時間遅延中に上記少なくとも補助シンボルを受信且つ／又は送信できる少なくとも１つの端末を含み、無線通信ネットワークの多重化資源を、第１の群に含まれる端末の少なくとも一部に割り振り、第１の群に含まれる端末に割り振られたすべての多重化資源を、少なくとも１つの補助シンボルに対して、他の群に含まれる１つの端末に割り振る。【選択図】図１
2008160806.tif 000002
【特許請求の範囲】
【請求項１】
双方向通信チャネルを介して端末と通信することを目的とする少なくとも１つの基地局を含む無線通信システムでの伝送方法であって、
各チャネルは、ダウンリンクサブフレーム及びアップリンクサブフレームに分割されるフレームをサポートし、
各ダウンリンクサブフレームは、少なくとも２つの端末に送信されることを目的とする複数のシンボルを含み、
前記方法は、前記基地局により実行される複数のステップとして、
前記基地局に接続される各端末の時間遅延を求めるステップであって、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものである、時間遅延を求めるステップと、
前記基地局と、前記時間遅延中に少なくとも１つの補助シンボルを受信又は送信できる少なくとも１つの端末との間で、前記少なくとも１つの補助シンボルを転送できるようにするステップと
を含む、伝送方法において、
前記伝送方法は、
端末の第１の群と、少なくとも１つの端末の少なくとも１つの他の群とを形成するステップであって、前記端末の第１の群は、少なくとも、前記時間遅延中に前記少なくとも補助シンボルを受信且つ／又は送信できない端末を含み、前記少なくとも１つの端末の前記他の群は、前記時間遅延中に前記少なくとも補助シンボルを受信且つ／又は送信できる少なくとも１つの端末を含む、形成するステップと、
前記無線通信ネットワークの前記多重化資源を、１つのサブフレームに対して、前記第１の群に含まれる前記端末の少なくとも一部に割り振るステップと、
前記第１の群に含まれる前記端末に割り振られたすべての前記多重化資源を、前記少なくとも１つの補助シンボルに対して、前記他の群に含まれる１つの端末に割り振るステップと、
割り振られた前記多重化資源を示す情報を伝達する少なくとも１つの制御情報を前記端末に転送するステップと
をさらに含むことを特徴とする、伝送方法。
【請求項２】
前記無線通信ネットワークの前記多重化資源は、周波数チャンク、及び／又は符号、及び／又は前記基地局のカバーエリアの複数のエリアであることを特徴とする、請求項１に記載の方法。
【請求項３】
すべての端末が受信できる前記ダウンリンクサブフレームに含まれる前記シンボルは、前記ダウンリンクサブフレームの基準部に含まれることを特徴とし、かつ、
割り振られた前記多重化資源を示す情報を伝達する第１の制御情報が各端末に転送され、前記制御情報はデータと多重化されて、前記ダウンリンクサブフレームの前記基準部に含まれる少なくとも１つのシンボルを形成することを特徴とする、請求項２に記載の方法。
【請求項４】
各端末が受信又は送信できる補助シンボル数を決定するステップをさらに含むことを特徴とする、請求項１〜３のいずれか１項に記載の方法。
【請求項５】
前記第１の群はすべての前記端末を含み、
前記少なくとも１つの他の群は、最大数の補助シンボルを受信又は送信できる前記端末を含む第２の群であることを特徴とする、請求項４に記載の方法。
【請求項６】
前記他の群に含まれる１つの端末に割り振られる前記多重化資源は、すべての前記補助シンボルに対して割り振られることを特徴とする、請求項５に記載の方法。
【請求項７】
第２の制御情報が転送され、
前記第２の制御情報は、
データと多重化されて、前記ダウンリンクサブフレームの前記基準部に含まれる少なくとも１つのシンボルを形成するか、又は、
データと多重化されて、少なくとも１つの補助シンボルを形成する
ことを特徴とする、請求項６に記載の方法。
【請求項８】
前記第２の制御情報は、前記第１の群に含まれる前記端末に割り振られたすべての前記多重化資源が、すべての前記補助シンボルに対して前記端末に割り振られているか否かを示す１つのフィールドを各端末毎に含むことを特徴とする、請求項７に記載の方法。
【請求項９】
前記第２の制御情報は、前記端末が送信且つ／又は受信できる補助シンボル数を少なくとも示す１つのフィールドを各端末毎に含むことを特徴とする、請求項７に記載の方法。
【請求項１０】
前記第１の群は、すべての前記端末を含み、
複数の他の群が形成され、
前記複数の他の群は、第１の数の補助シンボルを受信且つ／又は送信できる前記端末を含む少なくとも１つの第２の群と、第２の数の補助シンボルを受信且つ／又は送信できる前記端末を含む少なくとも１つの第３の群とである
ことを特徴とする、請求項４に記載の方法。
【請求項１１】
前記第１の群は、前記時間遅延中に最大で第１の数の補助シンボルを受信できる前記端末の一部を含み、
複数の他の群が形成され、
前記複数の他の群は、少なくとも、前記第１の数の補助シンボルを受信且つ／又は送信できる前記端末を含む第２の群と、第２の数の補助シンボルを受信且つ／又は送信できる前記端末を含む第３の群とである
ことを特徴とする、請求項４に記載の方法。
【請求項１２】
前記第２の群に含まれる１つの端末に割り振られる前記多重化資源は、前記第１の数の補助シンボルに対して割り振られ、
前記第３の群に含まれる別の端末に割り振られる前記多重化資源は、前記第２の数の補助シンボルに対して割り振られる
ことを特徴とする、請求項１０又は１１に記載の方法。
【請求項１３】
第２の制御情報が転送され、
前記第２の制御情報は、データと多重化されて、前記ダウンリンクサブフレームの前記基準部に含まれる少なくとも１つのシンボルを形成するか、又は、
前記第２の制御情報は、データと多重化されて、少なくとも１つの補助シンボルを形成するか、又は、
前記制御情報の一部がデータと多重化されて、少なくとも１つの補助シンボルを形成すると共に、前記制御情報の別の部分がデータと多重化されて、少なくとも１つの他の補助シンボルを形成する
ことを特徴とする、請求項１２に記載の方法。
【請求項１４】
前記第２の制御情報は、各端末毎に複数のフィールドを含み、
前記複数のフィールドは、少なくとも、
そのサブフレームについて多重化資源が割り振られる前記第１の群に含まれる前記端末に割り振られているすべての前記多重化資源を、前記端末が前記第１の数の補助シンボルのために使用できるか否かを示す、１つの第１のフィールドと、
前記第１の群に含まれる前記端末に割り振られているすべての前記多重化資源を、前記端末が前記第２の数の補助シンボルのために使用できるか否かを示す第２のフィールドを含むことを特徴とする、請求項１３に記載の方法。
【請求項１５】
双方向通信チャネルを介して端末と通信することを目的とする少なくとも１つの基地局を含む無線通信システムでの伝送方法であって、
各チャネルは、ダウンリンクサブフレーム及びアップリンクサブフレームに分割されるフレームをサポートし、
各ダウンリンクサブフレームは、少なくとも２つの端末に送信されることを目的とする複数のシンボルを含み、
前記端末は、時間遅延中に少なくとも１つの補助シンボルを転送且つ／又は受信することができ、
前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、
前記方法は、前記端末により実行される複数のステップとして、
前記端末に割り振られる前記多重化資源を示す情報を伝達する少なくとも第１及び第２の制御情報を含むシンボルを、前記基地局から受信するステップと、
サブフレームに対して前記端末に割り振ることができる前記多重化資源を示す情報を含む前記第１の制御情報の少なくとも１つのフィールドを読み取るステップと、
多重化資源が前記端末に割り振られる場合、前記アップリンクサブフレーム及び／又は前記ダウンリンクサブフレームに含まれる前記シンボルを多重化し、且つ／又は復調するために前記割り振られる多重化資源に従って、サブフレームに含まれるシンボルを多重化し、且つ／又は復調するステップと、
サブフレームに対して他の端末に割り振られるすべての前記多重化資源が、少なくとも１つの補助シンボルに対して前記端末に割り振られているか否かを示す情報を含む前記第２の制御情報の少なくとも１つのフィールドを読み取るステップと、
すべての前記多重化資源が前記少なくとも１つの補助シンボルに対して前記端末に割り振られている場合、前記少なくとも１つの補助シンボルを多重化し、且つ／又は復調するステップと
を含むことを特徴とする、伝送方法。
【請求項１６】
すべての端末が受信できる前記ダウンリンクサブフレームに含まれる前記シンボルは、前記ダウンリンクサブフレームの基準部に含まれることを特徴とし、かつ、
前記第２の制御情報はデータと多重化されて、前記ダウンリンクサブフレームの前記基準部に含まれる少なくとも１つのシンボルを形成するか、又は、データと多重化されて少なくとも１つの補助シンボルを形成することを特徴とする、請求項１５に記載の方法。
【請求項１７】
前記第２の制御情報は、すべての前記多重化資源が前記少なくとも１つの補助シンボルに対して前記端末に割り振られているか否かを示す１つのフィールドを含むことを特徴とする、請求項１６に記載の方法。
【請求項１８】
前記第２の制御情報は、前記端末が送信且つ／又は受信できる補助シンボル数を少なくとも示す１つのフィールドを含むことを特徴とする、請求項１６に記載の方法。
【請求項１９】
すべての端末が受信できる前記ダウンリンクサブフレームに含まれる前記シンボルは、前記ダウンリンクサブフレームの基準部に含まれることを特徴とし、かつ、
前記第２の制御情報は、データと多重化されて、前記ダウンリンクサブフレームの前記基準部に含まれる少なくとも１つのシンボルを形成するか、又は、
前記第２の制御情報は、データと多重化されて、少なくとも１つの補助シンボルを形成するか、又は、
前記制御情報の一部がデータと多重化されて少なくとも１つの補助シンボルを形成すると共に、前記制御情報の別の一部がデータと多重化されて少なくとも１つの他の補助シンボルを形成することを特徴とする、請求項１５に記載の方法。
【請求項２０】
通信チャネルを介して端末と通信することを目的とする、無線通信システムの基地局であって、
各チャネルは、ダウンリンクサブフレーム及びアップリンクサブフレームに分割されるフレームを搬送し、
前記各ダウンリンクサブフレームは、少なくとも２つの端末に送信されることを目的とする複数のシンボルを含み、
前記基地局は、
前記基地局に接続される各端末の時間遅延を求める手段であって、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものである、時間遅延を求める手段と、
前記基地局と、前記時間遅延中に少なくとも１つの補助シンボルを受信又は送信できる少なくとも１つの端末との間で前記少なくとも１つの補助シンボルを転送できるようにする手段と
を備える、基地局において、
前記基地局は、
端末の第１の群と、少なくとも１つの端末の少なくとも１つの他の群とを形成する手段であって、前記端末の第１の群は、少なくとも、前記時間遅延について前記少なくとも補助シンボルを受信且つ／又は送信できない端末を含み、前記少なくとも１つの端末の他の群は、前記時間遅延について前記少なくとも補助シンボルを受信且つ／又は送信できる少なくとも１つの端末を含む、形成する手段と、
前記無線通信ネットワークの多重化資源を前記第１の群に含まれる前記端末の少なくとも一部に割り振る手段と、
前記第１の群に含まれる前記端末に割り振られたすべての前記多重化資源を、少なくとも１つの補助シンボルに対して、前記他の群に含まれる１つの端末に割り振る手段と、
前記端末に割り振られた前記多重化資源を示す情報を伝達する少なくとも１つの制御情報を転送する手段と
をさらに備えることを特徴とする、基地局。
【請求項２１】
通信チャネルを介して基地局と通信することを目的とする、無線通信システムの端末であって、
各チャネルは、ダウンリンクサブフレーム及びアップリンクサブフレームに分割されるフレームを搬送し、
前記各ダウンリンクサブフレームは、複数の端末に送信されることを目的とする複数のシンボルを含み、
前記端末は、時間遅延中に少なくとも１つの補助シンボルを転送且つ／又は受信することができ、
前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、
前記端末は、
前記端末に割り振られる前記多重化資源を示す情報を伝達する少なくとも第１及び第２の制御情報を含むシンボルを、前記基地局から受信する手段と、
サブフレームに対して前記端末に割り振ることができる前記多重化資源を示す情報を含む前記第１の制御情報の少なくとも１つのフィールドを読み取る手段と、
前記多重化資源が前記端末に割り振られる場合、前記アップリンクサブフレーム及び／又は前記ダウンリンクサブフレームに含まれる前記シンボルを多重化し、且つ／又は復調するために前記割り振られる多重化資源に従って、前記アップリンクサブフレーム及び／又は前記ダウンリンクサブフレームに含まれるシンボルを多重化し、且つ／又は復調する手段と、
サブフレームで前記他の端末に割り振られるすべての前記多重化資源が、少なくとも１つの補助シンボルに対して前記端末に割り振られているか否かを示す情報を含む前記第２の制御情報の、少なくとも１つのフィールドを読み取る手段と、
すべての前記多重化資源が、前記少なくとも１つの補助シンボルに対して前記端末に割り振られている場合、前記少なくとも１つの補助シンボルを多重化し、且つ／又は復調する手段と
を備える、端末。
【請求項２２】
プログラマブル装置に直接ロードすることができるコンピュータプログラムであって、前記プログラマブル装置で実行されると、請求項１〜１４に記載の方法のステップを実施する命令又はコード部分を含むコンピュータプログラム。
【請求項２３】
プログラマブル装置に直接ロードすることができるコンピュータプログラムであって、前記プログラマブル装置で実行されると、請求項１５〜１９に記載の方法のステップを実施する命令又はコード部分を含むコンピュータプログラム。
【請求項２４】
無線通信システムの基地局が少なくとも２つの端末に転送する制御情報であって、
前記基地局は、双方向通信チャネルを介して端末と通信することを目的とし、
各チャネルは、ダウンリンクサブフレーム及びアップリンクサブフレームに分割されるフレームをサポートし、
前記各ダウンリンクサブフレームは、少なくとも２つの端末に送信されることを目的とする複数のシンボルを含み、
前記端末は、送信可能な他のシンボルが前記ダウンリンクサブフレームの前記基地局による送信終了から所定のガード期間だけ隔てられた時刻に前記基地局により受信されるような時間遅延で、前記アップリンクサブフレームを介して前記他のシンボルを送信可能であり、前記ガード期間は、前記端末が前記基地局から隔てられる距離に関わらず一定である
制御情報において、
前記制御情報は、サブフレームへのシンボルの受信及び／又は転送のために端末に割り振られるすべての前記多重化資源が、前記時間遅延中に受信且つ／又は転送される少なくとも１つの補助シンボルに対して、前記端末に割り振られているか否かを示す情報を含むことを特徴とする、制御情報。
【請求項２５】
前記端末に割り振られる前記多重化資源は、複数の補助シンボルに対して割り振られることを特徴とする、請求項２４に記載の制御情報。
【請求項２６】
すべての端末が受信できる前記ダウンリンクサブフレームに含まれる前記シンボルは、前記ダウンリンクサブフレームの基準部に含まれることを特徴とし、かつ、
前記制御情報は、データと多重化されて前記ダウンリンクサブフレームの前記基準部の少なくとも１つのシンボルを形成するか、又は、データと多重化されて少なくとも１つの補助シンボルを形成することを特徴とする、請求項２５に記載の制御情報。
【請求項２７】
前記制御情報は、サブフレームへのシンボルの受信及び／又は転送のために端末に割り振られるすべての前記多重化資源が、前記少なくとも１つの補助シンボルに対して前記端末に割り振られているか否かを示す１つのフィールドを、各端末毎に含むことを特徴とする、請求項２６に記載の制御情報。
【請求項２８】
すべての端末が受信できる前記ダウンリンクサブフレームに含まれる前記シンボルは、前記ダウンリンクサブフレームの基準部に含まれることを特徴とし、かつ、
前記制御情報は、データと多重化されて、前記ダウンリンクサブフレームの前記基準部の少なくとも１つのシンボルを形成するか、又は、
前記制御情報は、データと多重化されて、少なくとも１つの補助シンボルを形成するか、又は、
前記制御情報は、データと多重化されて、少なくとも１つの補助シンボルを形成するか、又は、
前記制御情報の一部がデータと多重化されて前記少なくとも１つの補助シンボルを形成すると共に、前記制御情報の別の一部がデータと多重化されて少なくとも１つの他の補助シンボルを形成することを特徴とする、請求項２４に記載の制御情報。
【請求項２９】
すべての端末が受信できる前記ダウンリンクサブフレームに含まれる前記シンボルは、前記ダウンリンクサブフレームの基準部に含まれることを特徴とし、かつ、
前記制御情報は、各端末毎に複数のフィールドを含み、
前記複数のフィールドは、少なくとも、サブフレームへのシンボルの受信及び／又は転送のために端末に割り振られるすべての前記多重化資源が、第１の数の補助シンボルに対して前記端末に割り振られているか否かを示す第１のフィールドと、サブフレームへのシンボルの受信及び／又は転送のために端末に割り振られるすべての前記多重化資源が、第２の数の補助シンボルに対して前記端末に割り振られているか否かを示す第２のフィールドとを含むことを特徴とする、請求項２４に記載の制御情報。
【発明の詳細な説明】
【技術分野】
【０００１】
本発明は、包括的には通信システムに関し、特に、双方向通信チャネルを介して端末と通信することを目的とする少なくとも１つの基地局を含む無線通信システムでの伝送方法及び伝送装置に関する。
【０００２】
無線通信システムには、移動端末が長い距離を時に機敏に移動できる移動通信システムだけでなく、端末が固定されるか、又は、接続される基地局に対して短い距離を、多くの場合は非常にゆっくりと移動することしかできない通信システムも含まれることに留意されたい。
【０００３】
図１は、複数の基地局によりサービス提供される無線セルラ通信システムを図示する。図１では、１つのみの基地局ＢＴＳが示されているが、基地局ＢＴＳは、少なくとも１つの端末、ここでは無線通信チャネルＣＨ１〜ＣＨ３のそれぞれを介して３つの端末ＴＥ１、ＴＥ２、及びＴＥ３と通信することを目的とする。
【０００４】
図１では、端末ＴＥ１は基地局ＢＴＳから距離ｄ１にあり、端末ＴＥ２は基地局ＢＴＳから距離ｄ２にあり、端末ＴＥ３は基地局ＢＴＳから距離ｄ３にある。基地局ＢＴＳのカバーエリアは一般的にセル１５と呼ばれ、当該セルの境界は基地局から最大と考えられる距離にある。
【０００５】
各チャネルＣｈｉ（ｉ＝１〜３）は、端末ＴＥｉから基地局ＢＴＳへ情報を搬送するためのアップリンクチャネルＵＬ、及び、基地局ＢＴＳから端末ＴＥｉへ情報を搬送するためのダウンリンクチャネルＤＬｉをサポートすることを目的としている。上記情報は、アップリンクチャネルＵＬｉ若しくはダウンリンクチャネルＤＬｉのいずれかに割り当てられるタイムスロット又はサブフレームに分割されたフレーム内に含まれる。
【０００６】
フレームは、たとえば、図４に示すタイプを有する。すなわち、ＨＤ／ＯＦＤＭタイプ（半二重（Half Duplex）／直交周波数分割多重（Orthogonal Frequency Division Multiplex）／ＯＦＤＭの略語）であるＴＤＤ／ＯＦＤＭ（時分割複信／ＯＦＤＭ）又はＦＤＤ／ＯＦＤＭ（周波数分割複信）のいずれかを有する。図４に見ることができるように、このフレームは、整数Ｌ個のタイムスロット又はサブフレームＴＳ１〜ＴＳＬに再分割される。これらのタイムスロット又はサブフレームは、ダウンリンクチャネルＤＬ又はアップリンクチャネルＵＬのいずれかに割り当てることができる。さらに、各サブフレームＴＳｊ（ｊ＝１〜Ｌ）は、ｋ個の直交変調周波数ｆ１〜ｆｋによってそれぞれ搬送されるｑｊ個のシンボルｓ１〜ｓｑｊをサポートする（ここでは、サブフレームＴＳｊについて、ｑｊ＝４である）。これらのシンボルは、ＯＦＤＭシンボルと呼ばれる。
【０００７】
サブフレームＴＳｊのＯＦＤＭシンボルｓ１〜ｓｑｊのそれぞれは、一般に、シンボル間の干渉の抑制に努めるのに使用されるサイクリックプリフィックスを含むことに留意されたい。
【０００８】
一般的な場合に、サブフレームあたりのシンボル数は、サブフレーム毎に変化し得ると理解しなければならない。
【０００９】
図５に関して、基地局ＢＴＳによるダウンリンクチャネルＤＬを介するｑｊ＝４個のシンボルｓ１〜ｓ４の、時刻ｔｅにおける送信を考察してみよう。これらのシンボルｓ１〜ｓ４は、考慮対象のセル１５の境界（基地局ＢＴＳから距離ｄ１）にある端末ＴＥ１によって、ｔｅ＋ＲＴＤ（ｄ１）／２に等しい時刻に受信される。ここで、ＲＴＤ（ｄ１）は、基地局ＢＴＳから上記距離ｄ１のその端末ＴＥ１へのラウンドトリップ遅延である。これらのシンボルは、この端末ＴＥ１によって処理され、この端末はその後また、アップリンクチャネルＵＬを介してシンボルを送信する。端末ＴＥｉは、アップリンクチャネルＵＬを介してシンボルを送信する前に、ハードウェアオペレーション及びソフトウェアオペレーションの継続時間を考慮するために、或る期間待たなければならない。この或る期間は、受信送信切り換え時間（Receive Transmit Switch time）又は単にスイッチング時間と呼ばれ、ＲＴＳと参照される。たとえば、この遅延ＲＴＳは、端末ＴＥのハードウェア機器が受信モードと送信モードとを切り換えるのに必要な時間、及び、基地局ＢＴＳのハードウェア機器が送信モードと受信モードとを切り換えるのに必要な時間の最大値である。アップリンクチャネルＵＬで送信されるシンボルは、ｔｅ＋ＲＴＤ（ｄ１）＋ＲＴＳ＋ＤＤＬに等しい時刻ｔｒに基地局ＢＴＳで受信される。ＤＤＬは、ｑｊ個のシンボルの全継続時間である。このように、基地局ＢＴＳは、セル１５の境界に位置する端末ＴＥｉによって送信されたシンボルの処理を行うために、それらのシンボルの受信を待たなければならないことが分かる。この待ち時間は、ガード期間（Guard Period）ＧＰ又はアイドル期間（idle period）と呼ばれ、少なくともラウンドトリップ遅延ＲＴＤ（ｄ１）に受信送信切り換え時間ＲＴＳを加えたものに等しくなければならない。
【００１０】
１つの端末が本発明に関わる場合、その端末はＴＥｉと呼ばれ、ｉ＝１、２、３、…、であり、ｉの最大値は基地局ＢＴＳのカバーエリア内に含まれる端末の最大数である。
【００１１】
少なくとも２つの端末が本発明に関わる場合、端末ＴＥと呼ばれる。
【００１２】
ダウンリンクチャネルＤＬとアップリンクチャネルＵＬとの間のガード期間ＧＰを図４に見ることができる。
【００１３】
基地局ＢＴＳは、各端末ＴＥのタイミング遅延ＴＤ（ｄ）を求める。基地局ＢＴＳはシンボルを端末ＴＥに転送し、端末ＴＥはこれに応答してシンボルを基地局ＢＴＳに転送することができる。これらのシンボルはたとえばパイロットシンボルである。
【００１４】
タイミング遅延は以下の式を使用して計算される。
Ｔｄ（ｄ）＝ｔｒ−ｔｅ−ＤＤＬ−ＲＴＤ（ｄ）＝ＧＰ−ＲＴＤ（ｄ）
式中、ｄは各端末ＴＥｉと基地局ＢＴＳとの距離である。
【００１５】
各タイミング遅延から、基地局ＢＴＳは、各端末のタイミング進み（Timing Advance）ＴＡ＝ＧＰ−ＴＤ（ｄ）を求め、タイミング進みを対応する端末ＴＥｉに転送する。
【００１６】
各端末は、基地局ＢＴＳに接続される端末ＴＥから送信されるシンボルが基地局ＢＴＳで等しい時刻ｔｒに受信されるように、アップリンクチャネルＵＬを介してのシンボルの送信にそのタイミング進み値を適用する。
【００１７】
上記通信システムにより対処される問題は、ガード期間ＧＰ中にいかなる種類の情報も基地局において送受信されないことに起因する資源の潜在的な喪失に関する。
【００１８】
この問題を解消するために、本発明の発明者等は、欧州特許出願第０５２９１９７２号明細書において、ダウンリンクチャネル又はアップリンクチャネルでの新しい情報伝送方式を提案した。
【００１９】
この欧州特許出願第０５９２１９７２号明細書では、基地局ＢＴＳは、ガード期間中に少なくとも１つの補助ダウンリンクシンボルを、当該少なくとも補助ダウンリンクシンボルを受信できる端末ＴＥに送信し、且つ／又は、基地局ＢＴＳは、ガード期間中に少なくとも１つの補助アップリンクシンボルを、時間遅延中に上記少なくとも補助アップリンクシンボルを送信できる端末ＴＥから受信する。
【００２０】
このような技法について図６を参照してより詳細に説明する。
【００２１】
図６では、ｎｒｅｆ個のシンボルｓ１〜ｓ４が、ｔｅと参照される時刻に基地局ＢＴＳによりダウンリンクチャネルＤＬを介してサブフレームの基準部(nominal part)で転送される。
【００２２】
サブフレームの基準部は、セルの境界にある端末ＴＥに（換言すれば基地局ＢＴＳのセル内にある任意の端末に）送信できるｑｊ個のシンボルの全継続時間である。
【００２３】
サブフレームの基準部の最後のダウンリンクシンボルｓ４を送信した後、基地局ＢＴＳは、時刻ｔｒまで、ガード期間ＧＰの間、接続された端末ＴＥからのアップリンクシンボルの受信を待つ必要がある。ダウンリンクチャネルでのサブフレームの基準部の継続時間を、シンボルの基準数ｎｒｅｆ、たとえば４に対応するＤｒｅｆと呼ぶ。
【００２４】
基地局ＢＴＳは、ダウンリンクサブフレームに補助ダウンリンクシンボルを含むように規定され、当該補助ダウンリンクシンボルは、各時間遅延中に補助ダウンリンクシンボルを受信して処理できる端末ＴＥにのみ送信されることを目的とする。
【００２５】
基地局ＢＴＳから距離ｄに配置された端末の時間遅延ＴＤ（ｄ）が、ダウンリンクシンボルｎｄｌ個分の継続時間に切り替え時間ＲＴＳを足した数とダウンリンクシンボルｎｄｌ＋１個分の継続時間に切り替え時間ＲＴＳを足した数との間に含まれる場合、基地局ＢＴＳは、その端末に対する情報をｎｄｌ個の補助ダウンリンクシンボルに挿入することができる。この条件は以下のように数学的に記述することができる：
ｎｄｌ・ｔｓｄｌ≦ＴＤ（ｄ）−ＲＴＳ＜（ｎｄｌ＋１）ｔｓｄｌならば最大でｎｄｌ個の補助シンボルを挿入する。
ここでｔｓｄｌは１つのダウンリンクシンボルの継続時間である。
【００２６】
端末ＴＥｉに対する情報をｎｄｌ個の補助ダウンリンクシンボルに挿入する場合、基地局ＢＴＳは、端末ＴＥｉがこの１つ又は複数のｎｄｌ個の補助シンボルをダウンリンクサブフレームの基準部に含まれる他のシンボルと共に読み取って処理できるように、この挿入をその端末ＴＥｉに対して示す（シグナリングにより）。
【００２７】
基地局ＢＴＳは、適用すべき時間遅延ＴＤ又はタイミング進みについて、接続されている各端末ＴＥｉに通知する。次に、各端末ＴＥｉは、上記式を使用することにより、時間遅延ＴＤの値又はタイミング進みの値から、読み出して処理する必要のあるシンボル数を導き出す。
【００２８】
したがって、基地局ＢＴＳから距離ｄにある端末ＴＥｉに基地局ＢＴＳが割り振ることができる補助ダウンリンクシンボルの数ｎｄｌは、以下のように求められる：
ｎｄｌ＝integer｛（ＴＤ（ｄ）−ＲＴＳ）／ｔｓｄｌ｝
＝integer｛（ＧＰ−ＲＴＤ（ｄ）−ＲＴＳ）／ｔｓｄｌ｝
最大数Ｎｄｌｍａｘ個の補助シンボルが、基地局ＢＴＳから距離０にあると共にラウンドトリップ遅延ＲＴＤが０である端末ＴＥｉに与えられる：
Ｎｄｌｍａｘ＝integer｛（ＧＰ−ＲＴＳ）／ｔｓｄｌ｝
上記式と同様の式が補助アップリンクチャネルにも使用される。
【００２９】
例として、図６に示す場合では、数Ｎｄｌｍａｘは２であり、ここで、送信されるダウンリンクシンボルの総数は、サブフレームの基準部Ｄｒｅｆの４個のダウンリンクシンボルｓ１〜ｓ４並びにガード期間ＧＰと通常みなされる期間中に送信される２個の補助ダウンリンクシンボルｓ５及びｓ６に等しい。セル１５の境界にある端末ＴＥ１の時間遅延ＴＤ（ｄ１）の値は、時間遅延の定義により切り替え時間ＲＴＳに等しい。サブフレームの基準部Ｄｒｅｆの４個のダウンリンクシンボルｓ１〜ｓ４のみが、基地局ＢＴＳにより上記端末ＴＥ１に割り振られる。端末ＴＥ１は、これらの４個のダウンリンクシンボルｓ１〜ｓ４のみを読み出して処理するだけであり、２個の補助シンボルｓ５及びｓ６は、存在する場合でも無視される（すなわち処理されない）。
【００３０】
端末ＴＥ２の時間遅延ＴＤ（ｄ２）の値は、２個のダウンリンクシンボルの継続時間に切り替え時間を足した時間よりも小さいが、１個のダウンリンクシンボルの継続時間に切り替え時間ＲＴＳを足した時間に等しい。したがって、基地局ＢＴＳは、最大で１個の補助ダウンリンクシンボル（ここでは、サブフレームの基準部Ｄｒｅｆの最後のダウンリンクシンボルｓ４に後続するダウンリンクシンボルｓ５）内で情報を上記端末ＴＥ２に送信することができ、この補助ダウンリンクシンボルは当該端末ＴＥ２により読み取られて処理される。シンボルｓ６は、存在する場合でも上記端末ＴＥ２に無視される（すなわち処理されない）。この場合、その端末ＴＥ２に対する情報を含むことができるダウンリンクシンボルの総数は５である（サブフレームの基準部Ｄｒｅｆの４個ｓ１〜ｓ４と１個の補助シンボルｓ５とを足した数）。
【００３１】
図６の例によれば、端末ＴＥ３の時間遅延ＴＤ（ｄ３）の値は、２個のダウンリンクシンボルの継続時間に切り替え時間ＲＴＳを足した時間に等しい。したがって、基地局ＢＴＳは、最大で２個の補助ダウンリンクシンボルｓ５及びｓ６内で情報をその端末ＴＥ３に送信することができ、これらの補助ダウンリンクシンボルは当該端末ＴＥ３により読み取られて処理される。その端末ＴＥ３に対する情報を含むことができるダウンリンクシンボルの総数は６である（サブフレームの基準部Ｄｒｅｆの４個ｓ１〜ｓ４と２個の補助ダウンリンクシンボルｓ５及びｓ６とを足した数）。
【００３２】
基地局ＢＴＳは、端末ＴＥ２の距離ｄ２と端末ＴＥ３の距離ｄ３との間に含まれる基地局から距離ｄにあるいずれの端末ＴＥｉにも、最大で５個のダウンリンクシンボル内で情報を送信することができ、端末ＴＥｉはこれを読み出して処理することができる。同じように、基地局ＢＴＳは、端末ＴＥ３の距離ｄ３よりも短い距離ｄにあるいずれの端末にも、最大で６個のダウンリンクシンボル内で情報を送信することができ、端末はこれを読み出して処理することができる。常に同じように、基地局ＢＴＳは、端末ＴＥ２の距離ｄ２よりも長い距離ｄにあるいずれの端末にも、最大で４個のシンボル内で情報を送信することができ、端末はこれを読み出して処理することができる。
【００３３】
ダウンリンクシンボルｓ５は、基地局ＢＴＳからｄ２未満の距離にある端末ＴＥに対する情報のみを含むことができるのに対して、ダウンリンクシンボルｓ６は、基地局ＢＴＳからｄ３未満の距離にある端末ＴＥに対する情報のみを含むことに留意されたい。
【００３４】
端末ＴＥｉは、基地局ＢＴＳに接続したとき、適用する必要がある時間遅延ＴＤについての情報をまだ受信していない。それが行われない限り、この端末ＴＥｉに割り振られるシンボル数は基準数ｎｒｅｆに等しい。すなわち、この端末ＴＥｉに割り振られるシンボル数はサブフレームの基準部Ｄｒｅｆに含まれるシンボル数に等しい。さらに、端末ＴＥｉは、基準数ｎｒｅｆに等しい数のシンボルを受信した後、予め規定される時間遅延で、たとえばガード期間ＧＰ又はＲＴＳに等しい時間遅延でアップリンクにて送信することができる。
【００３５】
欧州特許出願第０５２９１９７２号では、基地局は、サブフレームの基準部Ｄｒｅｆのシンボルに使用する変調方式、符号化方式、及び／又は多重化方式と異なる方式を補助シンボルに使用する場合には、その補助シンボルを受信できる端末ＴＥに、その端末ＴＥが上記補助シンボルを検出し、復号化し、且つ／又は復調(de-multiplex)するための特定の制御情報を送信する。
【００３６】
このような制御情報の転送は、無線通信システムの資源を消費する。
【００３７】
【特許文献１】欧州特許出願公開第１２３３５６６号明細書（カラム５、５２行目〜５５行目、段落［００４７］、［００４８］、図１、図５、図７）
【特許文献２】国際公開第９９／１１００４号パンフレット（１２頁、１０行目〜２８行目、図２Ｃ）
【特許文献３】米国特許第６８１００２３号明細書（要約書）
【００３８】
そのために、本発明は、双方向通信チャネルを介して端末と通信することを目的とする少なくとも１つの基地局を含む無線通信システムでの伝送方法であって、各チャネルは、ダウンリンクサブフレーム及びアップリンクサブフレームに分割されるフレームをサポートし、各ダウンリンクサブフレームは、少なくとも２つの端末に送信されることを目的とする複数のシンボルを含み、前記方法は、前記基地局により実行される複数のステップとして、前記基地局に接続される各端末の時間遅延を求めるステップであって、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものである、時間遅延を求めるステップと、前記基地局と、前記時間遅延中に少なくとも１つの補助シンボルを受信又は送信できる少なくとも１つの端末との間で、前記少なくとも１つの補助シンボルを転送できるようにするステップとを含む、伝送方法において、前記伝送方法は、端末の第１の群と、少なくとも１つの端末の少なくとも１つの他の群とを形成するステップであって、前記端末の第１の群は、少なくとも、前記時間遅延中に前記少なくとも補助シンボルを受信且つ／又は送信できない端末を含み、前記少なくとも１つの端末の前記他の群は、前記時間遅延中に前記少なくとも補助シンボルを受信且つ／又は送信できる少なくとも１つの端末を含む、形成するステップと、前記無線通信ネットワークの前記多重化資源を、１つのサブフレームに対して、前記第１の群に含まれる前記端末の少なくとも一部に割り振るステップと、前記第１の群に含まれる前記端末に割り振られたすべての前記多重化資源を、前記少なくとも１つの補助シンボルに対して、前記他の群に含まれる１つの端末に割り振るステップと、割り振られた前記多重化資源を示す情報を伝達する少なくとも１つの制御情報を前記端末に転送するステップとをさらに含むことを特徴とする、伝送方法に関する。
【００３９】
本発明はまた、通信チャネルを介して端末と通信することを目的とする、無線通信システムの基地局であって、各チャネルは、ダウンリンクサブフレーム及びアップリンクサブフレームに分割されるフレームを搬送し、前記各ダウンリンクサブフレームは、少なくとも２つの端末に送信されることを目的とする複数のシンボルを含み、前記基地局は、前記基地局に接続される各端末の時間遅延を求める手段であって、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものである、時間遅延を求める手段と、前記基地局と、前記時間遅延中に少なくとも１つの補助シンボルを受信又は送信できる少なくとも１つの端末との間で前記少なくとも１つの補助シンボルを転送できるようにする手段とを備える、基地局において、前記基地局は、端末の第１の群と、少なくとも１つの端末の少なくとも１つの他の群とを形成する手段であって、前記端末の第１の群は、少なくとも、前記時間遅延中に前記少なくとも補助シンボルを受信且つ／又は送信できない端末を含み、前記少なくとも１つの端末の他の群は、前記時間遅延中に前記少なくとも補助シンボルを受信且つ／又は送信できる少なくとも１つの端末を含む、形成する手段と、前記無線通信ネットワークの多重化資源を前記第１の群に含まれる前記端末の少なくとも一部に割り振る手段と、前記第１の群に含まれる前記端末に割り振られたすべての前記多重化資源を、少なくとも１つの補助シンボルに対して、前記他の群に含まれる１つの端末に割り振る手段と、前記端末に割り振られた前記多重化資源を示す情報を伝達する少なくとも１つの制御情報を転送する手段とをさらに備えることを特徴とする、基地局に関する。
【００４０】
第１の群に含まれる端末に割り振られたすべての多重化資源を、少なくとも１つの補助シンボルに対して他の群に含まれる１つの端末に割り振ることにより、基地局が転送する必要がある制御情報が少数になる。
【００４１】
したがって、このような制御情報の転送により、無線通信システムの資源が消費されない。
【００４２】
さらに、無線通信システムの資源が効率的に使用される。
【００４３】
特定の特徴によれば、無線通信ネットワークの多重化資源は、周波数チャンク、及び／又は符号、及び／又は基地局のカバーエリア内の複数のエリアである。
【００４４】
特定の特徴によれば、すべての端末が受信できるダウンリンクサブフレームに含まれるシンボルは、ダウンリンクサブフレームの基準部に含まれ、割り振られた多重化資源を示す情報を伝達する第１の制御情報が各端末に転送され、制御情報はデータと多重化されて、ダウンリンクサブフレームの基準部に含まれる少なくとも１つのシンボルを形成する。
【００４５】
特定の特徴によれば、基地局は、各端末が受信又は送信できる補助シンボル数を決定する。
【００４６】
特定の特徴によれば、第１の群はすべての端末を含み、少なくとも１つの他の群は、最大数の補助シンボルを受信又は送信できる端末を含む第２の群である。
【００４７】
したがって、他の群に属する端末の判断の実現が容易である。
【００４８】
特定の特徴によれば、他の群に含まれる１つの端末に割り振られた多重化資源は、最大数の補助シンボルに対して割り振られる。
【００４９】
したがって、補助シンボルに対する多重化資源の割り振りの指示により、無線通信システムの資源が消費されない。
【００５０】
特定の特徴によれば、第２の制御情報が転送され、第２の制御情報はデータと多重化されてダウンリンクサブフレームの基準部に含まれる少なくとも１つのシンボルを形成するか、又はデータと多重化されて少なくとも１つの第１の補助シンボルを形成する。
【００５１】
したがって、他の端末は、割り振られた多重化資源を可能な限り素早く認識することができる。第２の制御情報がデータと多重化されて少なくとも１つの、例として第１の補助シンボルを形成する場合、ダウンリンクサブフレームの基準部に含まれるシンボルは、少なくとも１つの補助シンボルを処理する必要のない端末に関連するデータのみを含む。
【００５２】
特定の特徴によれば、第２の制御情報は、第１の群に含まれる端末に割り振られた多重化資源のすべてが補助シンボルのすべてに対して端末に割り振られるか否かを示す１つのフィールドを各端末毎に含む。
【００５３】
したがって、補助シンボルに対する多重化資源の割り振り指示により、無線通信システムの資源が消費されない。
【００５４】
特定の特徴によれば、第２の制御情報は、端末が送信且つ／又は受信できる補助シンボル数を少なくとも示す１つのフィールドを各端末毎に含む。
【００５５】
したがって、補助シンボルに対する多重化資源の割り振り指示により、無線通信システムの資源が消費されず、補助シンボル数の検出がよりロバストになる。
【００５６】
特定の特徴によれば、第１の群はすべての端末を含み、複数の他の群が形成される。複数の他の群は、少なくとも、第１の数の補助シンボルを受信且つ／又は送信できる端末を含む第２の群と、第２の数の補助シンボルを受信且つ／又は送信できる端末を含む第３の群とである。
【００５７】
したがって、補助シンボルの割り振りをいくつかの端末に対して行うことができる。
【００５８】
特定の特徴によれば、第１の群は、時間遅延中に最大で第１の数の補助シンボルを受信できる端末の一部を含み、複数の他の群が形成される。複数の他の群は、少なくとも、第１の数の補助シンボルを受信且つ／又は送信できる端末を含む第２の群と、第２の数の補助シンボルを受信且つ／又は送信できる端末を含む第３の群とである。
【００５９】
したがって、第２及び／又は第３の群に属する端末の判断の実現が容易である。
【００６０】
特定の特徴によれば、第２の群に含まれる１つの端末に割り振られた多重化資源は、第１の数の補助シンボルに対して割り振られ、第３の群に含まれる別の端末に割り振られた多重化資源は、第２の数の補助シンボルに対して割り振られる。
【００６１】
したがって、割り振りの実現が容易である。
【００６２】
特定の特徴によれば、第２の制御情報が転送され、第２の制御情報はデータと多重化されて、ダウンリンクサブフレームの基準部に含まれる少なくとも１つのシンボルを形成するか、又は、第２の制御情報はデータと多重化されて少なくとも１つの補助シンボルを形成するか、又は、制御情報の一部がデータと多重化されて少なくとも１つの補助シンボルを形成するとともに、制御情報の別の一部がデータと多重化されて少なくとも１つの他の補助シンボルを形成する。
【００６３】
特定の特徴によれば、第２の制御情報は、各端末毎に複数のフィールドを含み、複数のフィールドは、少なくとも、第１の群に含まれる端末に割り振られるすべての多重化資源を、その端末が第１の数の補助シンボルに対して使用できるか否かを示す第１のフィールドと、第１の群に含まれる端末に割り振られるすべての多重化資源を、その端末が第２の数の補助シンボルに対して使用できるか否かを示す第２のフィールドとである。
【００６４】
したがって、各補助シンボルの制御により他の補助シンボルの資源が消費されない。第２の制御情報の一部がデータと多重化されて、例として、第１の補助シンボルが形成される場合、ダウンリンクサブフレームの基準部又は例として第１の補助シンボルに含まれるシンボルは、他の補助シンボルを処理する必要のない端末に関連するデータのみを含む。
【００６５】
さらに別の態様によれば、本発明は、双方向通信チャネルを介して端末と通信することを目的とする少なくとも１つの基地局を含む無線通信システムでの伝送方法であって、各チャネルは、ダウンリンクサブフレーム及びアップリンクサブフレームに分割されるフレームをサポートし、各ダウンリンクサブフレームは、少なくとも２つの端末に送信されることを目的とする複数のシンボルを含み、前記端末は、時間遅延中に少なくとも１つの補助シンボルを転送且つ／又は受信することができ、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、前記方法は、前記端末により実行される複数のステップとして、前記端末に割り振られる前記多重化資源を示す情報を伝達する少なくとも第１及び第２の制御情報を含むシンボルを、前記基地局から受信するステップと、サブフレームに対して前記端末に割り振ることができる前記多重化資源を示す情報を含む前記第１の制御情報の少なくとも１つのフィールドを読み取るステップと、多重化資源が前記端末に割り振られる場合、前記アップリンクサブフレーム及び／又は前記ダウンリンクサブフレームに含まれる前記シンボルを多重化し、且つ／又は復調するために前記割り振られる多重化資源に従って、サブフレームに含まれるシンボルを多重化し、且つ／又は復調するステップと、サブフレームに対して他の端末に割り振られるすべての前記多重化資源が、少なくとも１つの補助シンボルに対して前記端末に割り振られているか否かを示す情報を含む前記第２の制御情報の少なくとも１つのフィールドを読み取るステップと、すべての前記多重化資源が前記少なくとも１つの補助シンボルに対して前記端末に割り振られている場合、前記少なくとも１つの補助シンボルを多重化し、且つ／又は復調するステップとを含むことを特徴とする、伝送方法に関する。
【００６６】
さらに別の態様によれば、本発明は、通信チャネルを介して基地局と通信することを目的とする、無線通信システムの端末であって、各チャネルは、ダウンリンクサブフレーム及びアップリンクサブフレームに分割されるフレームを搬送し、前記各ダウンリンクサブフレームは、複数の端末に送信されることを目的とする複数のシンボルを含み、前記端末は、時間遅延中に少なくとも１つの補助シンボルを転送且つ／又は受信することができ、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、前記端末は、前記端末に割り振られる前記多重化資源を示す情報を伝達する少なくとも第１及び第２の制御情報を含むシンボルを、前記基地局から受信する手段と、サブフレームに対して前記端末に割り振ることができる前記多重化資源を示す情報を含む前記第１の制御情報の少なくとも１つのフィールドを読み取る手段と、前記多重化資源が前記端末に割り振られる場合、前記アップリンクサブフレーム及び／又は前記ダウンリンクサブフレームに含まれる前記シンボルを多重化し、且つ／又は復調するために前記割り振られる多重化資源に従って、前記アップリンクサブフレーム及び／又は前記ダウンリンクサブフレームに含まれるシンボルを多重化し、且つ／又は復調する手段と、サブフレームで前記他の端末に割り振られるすべての前記多重化資源が、少なくとも１つの補助シンボルに対して前記端末に割り振られているか否かを示す情報を含む前記第２の制御情報の、少なくとも１つのフィールドを読み取る手段と、すべての前記多重化資源が、前記少なくとも１つの補助シンボルに対して前記端末に割り振られている場合、前記少なくとも１つの補助シンボルを多重化し、且つ／又は復調する手段とを備える、端末に関する。
【００６７】
特定の特徴によれば、すべての端末が受信できるダウンリンクサブフレームに含まれるシンボルは、ダウンリンクサブフレームの基準部に含まれ、第２の制御情報は、データと多重化されて、ダウンリンクサブフレームの基準部に含まれる少なくとも１つのシンボルを形成するか、又はデータと多重化されて少なくとも１つの補助シンボルを形成する。
【００６８】
特定の特徴によれば、第２の制御情報は、すべての多重化資源が少なくとも１つの補助シンボルに対して端末に割り振られたか否かを示す１つのフィールドを含む。
【００６９】
特定の特徴によれば、第２の制御情報は、端末が送信且つ／又は受信できる補助シンボル数を少なくとも示す１つのフィールドを含む。
【００７０】
特定の特徴によれば、すべての端末が受信できるダウンリンクサブフレームに含まれるシンボルは、ダウンリンクサブフレームの基準部に含まれ、第２の制御情報はデータと多重化されて、ダウンリンクサブフレームの基準部に含まれる少なくとも１つのシンボルを形成するか、又は、第２の制御情報はデータと多重化されて少なくとも１つの補助シンボルを形成するか、又は、制御情報の一部がデータと多重化されて少なくとも１つの補助シンボルを形成するとととに、制御情報の別の部分がデータと多重化されて少なくとも１つの他の補助シンボルを形成する。
【００７１】
さらに別の態様によれば、本発明は、無線通信システムの基地局が少なくとも２つの端末に転送する制御情報であって、前記基地局は、双方向通信チャネルを介して端末と通信することを目的とし、各チャネルは、ダウンリンクサブフレーム及びアップリンクサブフレームに分割されるフレームをサポートし、前記各ダウンリンクサブフレームは、少なくとも２つの端末に送信されることを目的とする複数のシンボルを含み、前記端末は、送信可能な他のシンボルが前記ダウンリンクサブフレームの前記基地局による送信終了から所定のガード期間だけ隔てられた時刻に前記基地局により受信されるような時間遅延で、前記アップリンクサブフレームを介して前記他のシンボルを送信可能であり、前記ガード期間は、前記端末が前記基地局から隔てられる距離に関わらず一定である制御情報において、前記制御情報は、サブフレームへのシンボルの受信及び／又は転送のために端末に割り振られるすべての前記多重化資源が、前記時間遅延中に受信且つ／又は転送される少なくとも１つの補助シンボルに対して、前記端末に割り振られているか否かを示す情報を含むことを特徴とする、に関する。
【００７２】
特定の特徴によれば、端末に割り振られる多重化資源は複数の補助シンボルに対して割り振られる。
【００７３】
特定の特徴によれば、すべての端末が受信できるダウンリンクサブフレームに含まれるシンボルは、ダウンリンクサブフレームの基準部に含まれ、制御情報はデータと多重化されて、ダウンリンクサブフレームの基準部の少なくとも１つのシンボルを形成するか、又はデータと多重化されて少なくとも１つの補助シンボルを形成する。
【００７４】
特定の特徴によれば、制御情報は、サブフレームへのシンボルの受信及び／又は転送のために端末に割り振られるすべての多重化資源が、少なくとも１つの補助シンボルに対して端末に割り振られているか否かを示す１つのフィールドを各端末毎に含む。
【００７５】
特定の特徴によれば、すべての端末が受信できるダウンリンクサブフレームに含まれるシンボルは、ダウンリンクサブフレームの基準部に含まれ、制御情報はデータと多重化されてダウンリンクサブフレームの基準部の少なくとも１つのシンボルを形成するか、又は、制御情報はデータと多重化されて少なくとも１つの補助シンボルを形成するか、又は、制御情報の一部がデータと多重化されて少なくとも１つの補助シンボルを形成するととともに、制御情報の別の部分がデータと多重化されて少なくとも１つの他の補助シンボルを形成する。
【００７６】
特定の特徴によれば、すべての端末が受信できるダウンリンクサブフレームに含まれるシンボルは、ダウンリンクサブフレームの基準部に含まれ、制御情報は、各端末毎に複数のフィールドを含む。複数のフィールドは、少なくとも、サブフレームへのシンボルの受信及び／又は転送のために端末に割り振られるすべての多重化資源が、第１の数の補助シンボルに対してその端末に割り振られているか否かを示す第１のフィールドと、サブフレームへのシンボルの受信及び／又は転送のために端末に割り振られるすべての多重化資源が、第２の数の補助シンボルに対してその端末に割り振られているか否かを示す第２のフィールドとである。
【００７７】
制御情報に関する特徴及び利点は、本発明による方法及び装置に関して上述した特徴及び利点と同じであるため、ここで繰り返さない。
【００７８】
さらに別の態様によれば、本発明は、プログラマブル装置に直接ロード可能であり得るコンピュータプログラムであって、プログラマブル装置で実行されると、本発明による方法のステップを実施する命令又はコード部分を含むコンピュータプログラムに関する。
【００７９】
コンピュータプログラムに関する特徴及び利点は、本発明による方法及び装置に関して上述した特徴及び利点と同じであるため、ここで繰り返さない。
【００８０】
本発明の特徴は、添付図面を参照して行われる実施形態例の以下の説明を読むことからより明確になろう。
【００８１】
図１は、本発明が実施される無線通信システムの構造を表す図である。
【００８２】
図１の通信システムでは、少なくとも１つ、好ましくは複数の端末ＴＥ１、ＴＥ２、及びＴＥ３が、基地局ＢＴＳのカバーエリア１５内に含まれる。基地局ＢＴＳは、少なくとも１つの端末ＴＥｉ、ここでは無線通信チャネルＣｈ１〜Ｃｈ３のそれぞれを介して３つの端末ＴＥ１、ＴＥ２、及びＴＥ３と通信することを目的とする。
【００８３】
本発明について、無線セルラネットワーク又はローカルエリアネットワークのような無線ネットワークにおいて説明するが、本発明は電力線網のような有線ネットワークに適用することも可能である。
【００８４】
簡易化のために基地局ＢＴＳの１つのカバーエリア１５のみを図１に示すが、実際には、特に無線ネットワークが無線セルラネットワークの場合、無線セルラ通信システムは複数の基地局及びセルで構成される。
【００８５】
図１には、簡易化のために３つの端末ＴＥのみを示すが、実際には、より多数の端末が基地局ＢＴＳのカバーエリア１５内にある。
【００８６】
基地局ＢＴＳは、ノード、ノードＢ、拡張ノードＢ、又はアクセスポイントとも呼ばれる。
【００８７】
端末ＴＥ１〜ＴＥ３は、携帯電話、携帯情報端末、又はパーソナルコンピュータのような端末である。
【００８８】
図６において開示したように、基地局ＢＴＳは補助ダウンリンクシンボルを含むように規定され、上記補助ダウンリンクシンボルは、各時間遅延中に補助ダウンリンクシンボルの受信及び処理を行える端末ＴＥに対してのみ送信されることを目的とする。基地局ＢＴＳは補助アップリンクシンボルを含むようにも規定され、上記補助アップリンクシンボルは、各時間遅延中に補助アップリンクシンボルの処理及び送信を行える端末ＴＥのみにより送信されることを目的とする。
【００８９】
基地局ＢＴＳは、端末ＴＥｉに対する情報をｎｄｌ個の補助シンボルに挿入することができる。この条件は以下のように数学的に記述することができる：
ｎｄｌ・ｔｓｄｌ≦ＴＤ（ｄ）−ＲＴＳ＜（ｎｄｌ＋１）ｔｓｄｌならば最大でｎｄｌ個の補助シンボルを挿入する。
【００９０】
ｔｓｄｌは１つのダウンリンクシンボルの継続時間である。
【００９１】
図１及び図６の例によれば、数Ｎｄｌｍａｘは２であるが、例として、基地局ＢＴＳのカバーエリアにより、且つ／又はＯＦＤＭシンボルの継続時間により、より多数の補助シンボルを決定することもできる。
【００９２】
上記式と同様の式が補助アップリンクチャネルにも使用される。
【００９３】
例として、無線通信システムは、時分割複信方式（ＴＤＤ）又は周波数分割複信方式（ＦＤＤ）、より厳密には半二重ＦＤＤ方式を使用する無線通信システムである。
【００９４】
ＴＤＤ方式では、アップリンクチャネル及びダウンリンクチャネルで転送される信号は、同じ周波数帯域で、異なるサブフレーム（タイムスロットとも呼ばれる）で二重化される。
【００９５】
半二重ＦＤＤ方式では、アップリンクチャネル及びダウンリンクチャネルで転送される信号は、異なる周波数帯域で、異なるサブフレーム（タイムスロットとも呼ばれる）で二重化される。
【００９６】
基地局ＢＴＳがシンボルを端末ＴＥｉに転送する場合（ｉ＝１〜３）、データ、信号、又はメッセージはダウンリンクチャネルのダウンリンクサブフレームを通じて転送される。
【００９７】
端末ＴＥｉがシンボルを基地局ＢＴＳに転送する場合（ｉ＝１〜３）、信号又はデータはアップリンクチャネルのアップリンクサブフレームを通じて転送される。
【００９８】
本発明の第１の実現形態では、複数の端末ＴＥの情報を多重化するために、周波数分割多元アクセス技法が無線通信システムにおいて使用される。
【００９９】
本発明の第２の実現形態では、複数の端末ＴＥの情報を多重化するために、符合分割多元アクセス技法が無線通信システムにおいて使用される。
【０１００】
本発明の第３の実現形態では、複数の端末ＴＥの情報を多重化するために、空間分割多元アクセス技法が無線通信システムにおいて使用される。図１においてビーム１、ビーム２、ビーム３、及びビーム４と記されているビームが、基地局ＢＴＳのカバーエリア１５の空間分割の一部を表す。
【０１０１】
第１、及び／又は第２、及び／又は第３の実現形態で使用される技法は組み合わせることも可能なことに留意する必要がある。
【０１０２】
好ましくは、端末ＴＥｉがシンボルを転送する場合、端末ＴＥｉは割り振られた多重化資源にデータを多重化し、割り振られていない多重化資源にはヌル値を設定する。
【０１０３】
基地局ＢＴＳはシンボルを受信する。受信された各シンボルは、端末ＴＥの少なくとも一部により転送されたシンボルにより形成される。
【０１０４】
図２は、本発明による基地局の構造を表す図である。
【０１０５】
基地局ＢＴＳは、たとえば、バス２０１により共に接続される構成要素と図７において開示するようなアルゴリズムに関連するプログラムにより制御されるプロセッサ２００とに基づく構造を有する。
【０１０６】
ここで、基地局ＢＴＳは、一変形において、以下に開示するようなプロセッサ２００により実行される動作と同じ動作を実行する１つ又はいくつかの専用集積回路の形で実施されることに留意する必要がある。
【０１０７】
バス２０１は、プロセッサ２００を読み取り専用メモリＲＯＭ２０２、ランダムアクセスメモリＲＡＭ２０３、及びチャネルインタフェース２０５にリンクする。
【０１０８】
読み取り専用メモリＲＯＭ２０２は図７に開示されているようなアルゴリズムに関連するプログラムの命令を含み、これは、基地局ＢＴＳに電源が投入されるとランダムアクセスメモリＲＡＭ２０３に転送される。
【０１０９】
ＲＡＭメモリ２０３は、変数の受け取りを目的とするレジスタと、図７に開示されているようなアルゴリズムに関連するプログラムの命令とを含む。
【０１１０】
チャネルインタフェース２０５は、各端末ＴＥｉによる少なくとも１つのパイロットシンボルの送信を要求する手段と、各端末ＴＥｉから少なくとも１つのパイロットシンボルを受信する手段とを備える。
【０１１１】
第１の群に属する端末ＴＥの少なくとも一部に割り振られる多重化資源は、ダウンリンクサブフレームの基準部のダウンリンクシンボルの復調のために対応する端末ＴＥｉが使用する多重化資源であり、及び／又は、アップリンクサブフレームの基準部のアップリンクシンボルを多重化するために対応する端末ＴＥｉが使用する多重化資源である。
【０１１２】
その他の群に属する少なくとも１つの端末ＴＥｉに割り振られる多重化資源は、補助ダウンリンクシンボルを多重化するために基地局ＢＴＳが使用する多重化資源であり、及び／又は、補助アップリンクシンボルを復調するために基地局ＢＴＳが使用する多重化資源である。
【０１１３】
チャネルインタフェース２０５は、第１の群に属する端末ＴＥの少なくとも一部に転送されるダウンリンクサブフレームの各ダウンリンクシンボルを、対応する端末ＴＥに割り振られた多重化資源に多重化する手段を備える。
【０１１４】
チャネルインタフェース２０５は、少なくとも１つの端末ＴＥｉに転送される少なくとも１つのダウンリンク補助シンボルを、他の群に属する少なくとも１つの端末ＴＥｉに割り振られた多重化資源に多重化する手段を備える。少なくとも１つの補助シンボルは、第１の群に属する端末ＴＥに割り振られた多重化資源に多重化される。
【０１１５】
チャネルインタフェース２０５は、他の群に属する少なくとも１つの端末ＴＥｉにより転送される少なくとも１つのアップリンク補助シンボルを、その端末ＴＥｉに割り振られた多重化資源から復調する手段を備える。
【０１１６】
補助シンボルはダウンリンクシンボル及び／又はアップリンクシンボルであってよい。
【０１１７】
本発明の第３の実現形態によれば、チャネルインタフェース２０５は、基地局ＢＴＳにより転送された信号を図１にビーム１〜ビーム４と記されているエリアのような異なるエリアに向ける手段を備える。より厳密には、基地局ＢＴＳがダウンリンクチャネルを通じて信号を所与のエリアに送信する場合、信号はＮ回複製され（Ｎ>１）、複製された信号は、ビーム形成を実行するために（すなわち、送信信号の空間方向を制御するために）重み付けされる。
【０１１８】
チャネルインタフェース２０５を通じて、プロセッサ２００は、図１３ａ〜図１３ｆを参照して以下に開示する制御情報のような制御情報を転送する。
【０１１９】
図３は、本発明による端末の構造を表す図である。
【０１２０】
各端末ＴＥｉ、例として端末ＴＥ１は、たとえば、バス３０１により共に接続される構成要素と図８において開示するようなアルゴリズムに関連するプログラムにより制御されるプロセッサ３００とに基づく構造を有する。
【０１２１】
ここで、端末ＴＥ１は、一変形において、以下に開示するようなプロセッサ３００により実行される動作と同じ動作を実行する１つ又はいくつかの専用集積回路の形で実施されることに留意する必要がある。
【０１２２】
バス３０１は、プロセッサ３００を読み取り専用メモリＲＯＭ３０２、ランダムアクセスメモリＲＡＭ３０３、及びチャネルインタフェース３０５にリンクする。
【０１２３】
読み取り専用メモリＲＯＭ３０２は図８に開示されているようなアルゴリズムに関連するプログラムの命令を含み、これは、端末ＴＥ１に電源が投入されるとランダムアクセスメモリＲＡＭ３０３に転送される。
【０１２４】
ＲＡＭメモリ３０３は、変数の受け取りを目的とするレジスタと、図８に開示されているようなアルゴリズムに関連するプログラムの命令とを含む。
【０１２５】
チャネルインタフェース３０５は、基地局ＢＴＳから少なくとも１つのパイロットシンボル要求を受信する手段と、少なくとも１つのパイロットシンボルを基地局ＢＴＳに転送する手段とを備える。
【０１２６】
チャネルインタフェース３０５を通じて、プロセッサ３００は、図１３ａ〜図１３ｆを参照して以下に開示する制御情報のような制御情報を受信する。
【０１２７】
チャネルインタフェース３０５は、端末ＴＥ１が第１の群に属する場合、基地局ＢＴＳにより割り振られる対応する多重化資源（いくつかある場合）上の、端末ＴＥ１により受信されるダウンリンクサブフレームの基準部Ｄｒｅｆの各ダウンリンクシンボルを復調する手段を備える。
【０１２８】
チャネルインタフェース３０５は、端末ＴＥ１が第２の群に属する場合、端末ＴＥ１が受信する少なくとも１つの補助ダウンリンクシンボルを復調する手段を備える。
【０１２９】
チャネルインタフェース３０５は、端末ＴＥ１が他の群に属する場合、端末ＴＥ１により転送される少なくとも１つのアップリンク補助シンボルを多重化する手段を備える。
【０１３０】
図７は、本発明による基地局により実行されるアルゴリズムである。
【０１３１】
本アルゴリズムは、無線通信システムの少なくとも１つの基地局ＢＴＳにより実行される。より厳密には、本アルゴリズムは、基地局ＢＴＳのプロセッサ２００により実行される。
【０１３２】
ステップＳ７００において、プロセッサ２００は、チャネルインタフェース２０５を通じて、各端末ＴＥｉ（ｉ＝１〜３）に少なくとも１つのパイロットシンボルを転送するように命令する。
【０１３３】
次のステップＳ７０１において、プロセッサ２００は、チャネルインタフェース２０５を通じて、各端末ＴＥｉにより転送された少なくとも１つのパイロットシンボルの受信を検出する。
【０１３４】
次のステップＳ７０２において、プロセッサ２００は各端末ＴＥｉの時間遅延ＴＤ（ｄ）を計算する。ここで、ｄは基地局ＢＴＳと端末ＴＥｉとの間の距離である。
【０１３５】
各タイミング遅延ＴＤ（ｄ）は以下の式を使用して計算される：
Ｔｄ（ｄ）＝ｔｒ−ｔｅ−ＤＤＬ−ＲＴＤ（ｄ）＝ＧＰ−ＲＴＤ（ｄ）
式中、ＤＤＬは、転送するダウンリンクサブフレームの基準部の全継続時間である。
【０１３６】
同ステップで、プロセッサ２００は、以下の式を使用して各端末ＴＥｉのタイミング進みを計算する：
ＴＡ（ｄ）＝ＧＰ−ＴＤ（ｄ）
【０１３７】
次のステップＳ７０３において、プロセッサ２００は、ステップＳ７０２において計算されたデータのうちの少なくとも１つを対応する各端末ＴＥｉに転送するように命令する。
【０１３８】
ステップＳ７０２において計算されたデータは、チャネルインタフェース２０５により次のダウンリンクサブフレームで転送される。この計算されたデータは他のデータと多重化されて、シンボルｓ１〜ｓ４の形で転送される。
【０１３９】
次のステップＳ７０４において、プロセッサ２００は、少なくとも端末ＴＥの２つの群を形成する。
【０１４０】
そのために、プロセッサ２００は、各端末ＴＥｉ毎に、以下の式を使用して基地局ＢＴＳが端末ＴＥｉに割り振ることができる補助ダウンリンクシンボル数ｎｄｌＴＥｉを求める。
ｎｄｌＴＥｉ＝integer｛（ＴＤ（ｄ）−ＲＴＳ）／ｔｓｄｌ｝
＝integer｛（ＧＰ−ＲＴＤ（ｄ）−ＲＴＳ）／ｔｓｄｌ｝
式中、ｔｓｄｌは１つのダウンリンクシンボルの継続時間である。
【０１４１】
ここで、ｎｄｌＴＥｉが、基地局ＢＴＳが端末ＴＥｉに割り振ることができる補助アップリンクシンボル数も表すことに留意する必要がある。
【０１４２】
プロセッサ２００は、ｎｄｌＴＥｉが厳密に１未満の端末ＴＥを少なくとも含む第１の群及びｎｄｌＴＥｉが１以上の端末ＴＥを含む少なくとも１つの他の群を形成する。
【０１４３】
本発明の第１の変形によれば、第１の群は、ｎｄｌＴＥｉがヌル値以上の端末ＴＥ、すなわちすべての端末ＴＥを含み、少なくとも１つの他の群は、ｎｄｌＴＥｉが最大の端末ＴＥを含む第２の群である。
【０１４４】
本発明の第２の変形によれば、第１の群は、ｎｄｌＴＥｉがヌル値以上の端末ＴＥを含み、複数の他の群が形成される。複数の他の群は、少なくとも、ｎｄｌＴＥｉが第１の値に等しい端末を含む第２の群と、ｎｄｌＴＥｉが第１の値と異なる第２の値に等しい端末ＴＥを含む第３の群とである。
【０１４５】
例として、第２の群はｎｄｌＴＥｉが１に等しい端末ＴＥを含み、第３の群はｎｄｌＴＥｉが２に等しい端末ＴＥを含む。
【０１４６】
別の例では、第２の群はｎｄｌＴＥｉが３に等しい端末ＴＥを含み、第３の群はｎｄｌＴＥｉが６に等しい端末ＴＥを含む。
【０１４７】
本発明の第３の変形によれば、第１の群はｎｄｌＴＥｉが第１の値以下である端末ＴＥを含み、複数の他の群が形成される。複数の他の群は、少なくとも、ｎｄｌＴＥｉが第１の値に等しい端末ＴＥを含む第２の群と、ｎｄｌＴＥｉが第１の値と異なる第２の値に等しい端末ＴＥを含む第３の群とである。
【０１４８】
例として、第１の値は１に等しく、第２の値は２に等しい。
【０１４９】
別の例として、第１の値は２に等しく、第２の値は４に等しい。
【０１５０】
本発明の第４の変形によれば、第１の群はｎｄｌＴＥｉがヌル値に等しい端末ＴＥを含み、複数の他の群が形成される。複数の他の群は、少なくとも、ｎｄｌＴＥｉが第１の値に等しい端末ＴＥを含む第２の群と、ｎｄｌＴＥｉが第２の値に等しい端末ＴＥを含む第３の群とである。
【０１５１】
ここで、他の変形では、ｎｄｌＴＥｉが異なる値内に含まれる端末ＴＥをそれぞれ含む３つ以上の他の群をプロセッサ２００が形成することに留意する必要がある。
【０１５２】
次のステップＳ７０５において、プロセッサ２００は、無線通信システムの多重化資源を、第１の群に属する端末ＴＥｉの少なくとも一部に割り振る。
【０１５３】
ここで、数百の端末ＴＥが第１の群に属する場合、プロセッサ２００は、１つのサブフレーム中では、多重化資源を第１の群に属する端末ＴＥの一部にしか割り振ることができないということに留意する必要がある。この場合、プロセッサ２００は、各サブフレーム毎に、多重化資源が割り振られる第１の群の端末ＴＥを変更することができる。
【０１５４】
本発明の第１及び第２の実現形態によれば、プロセッサ２００は、好ましくは、無線通信システムの多重化資源を、図９に示すチャネル品質指標に従って第１の群に属する端末ＴＥに割り振る。
【０１５５】
多重化資源は、本発明の第１の実現形態によれば、周波数チャンクである。１つの周波数チャンクは、少なくとも１つの搬送周波数又は搬送周波数群（好ましくは連続したもの）を含む。
【０１５６】
多重化資源は、本発明の第２の実現形態によれば、符号である。符号はビットシーケンスである。好ましくは、割り振られる符号は互いに直交する。
【０１５７】
割り振られる多重化資源の例について図１０ａ〜図１０ｃを参照して説明する。
【０１５８】
多重化資源は、本発明の第３の実現形態によれば、基地局ＢＴＳのカバーエリア１５内の複数のエリアである。
【０１５９】
割り振られる多重化資源の一例について図１２を参照して説明する。
【０１６０】
本発明の第３の実現形態によれば、プロセッサ２００は、好ましくは、無線通信システムの多重化資源を、図１１に示すチャネル品質指標に従って第１の群に属する端末ＴＥに割り振る。
【０１６１】
第１の群に属する各端末ＴＥｉに割り振られる多重化資源は、基地局ＢＴＳが、ダウンリンクサブフレームの基準部の、図６のｓ１〜ｓ４のようなダウンリンクシンボルを多重化するために使用する多重化資源である。
【０１６２】
第１の群に属する各端末ＴＥｉに割り振られる多重化資源は、対応する端末ＴＥｉが、サブフレームの基準部Ｄｒｅｆの、図６のｓ１〜ｓ４のようなダウンリンクシンボルを復調するために使用する多重化資源である。
【０１６３】
次のステップＳ７０６において、プロセッサ２００は、第１の群に属する端末ＴＥの一部に割り振られた無線通信システムのすべての多重化資源を、他の群に属する少なくとも１つの端末ＴＥｉに割り振る。
【０１６４】
他の群に属する少なくとも１つの端末ＴＥｉに割り振られる多重化資源は、ステップＳ７０５において第１の群に属する端末ＴＥの一部に割り振られたすべての多重化資源である。
【０１６５】
多重化資源は、周波数チャンク、符号、又は基地局ＢＴＳのカバーエリア１５内の複数のエリアである。
【０１６６】
他の群に属する少なくとも１つの端末ＴＥｉに割り振られる多重化資源は、図６のｓ５及び／又はｓ６のような補助ダウンリンクシンボルを多重化し、且つ／又は補助アップリンクシンボルを復調するために、基地局ＢＴＳが使用する多重化資源である。
【０１６７】
次のステップＳ７０７において、プロセッサ２００は、チャネルインタフェース２０５を通じて、割り振られた多重化資源を示す制御情報の端末ＴＥへの転送を命令する。
【０１６８】
割り振られた多重化資源を示す情報を伝達する制御情報の例が図１３ａ〜図１３ｆを参照して提供される。
【０１６９】
図６の例によれば、制御情報は、シンボルｓ１〜ｓ４、又はｓ１〜ｓ５、又はｓ１〜ｓ６の形でダウンリンクサブフレームにおいて転送されるデータと多重化される。
【０１７０】
ここで、シンボルｓ５及びｓ６をシンボルｓ１〜ｓ４と同時に符号化することもでき、又は、各シンボルｓ５又はｓ６をその他のシンボルｓ１〜ｓ４から独立して符号化することもできることに留意する必要がある。
【０１７１】
次のステップＳ７０８において、プロセッサ２００は、各端末ＴＥｉ毎に、対応するタイミング遅延ＴＤ（ｄ）及び／又はタイミング進みＴＡ（ｄ）を再び計算するときであるか否かを調べる。非限定的な例として、タイミング遅延ＴＤ（ｄ）及び／又はタイミング進みＴＡ（ｄ）は、要求に応じて又は毎秒のように周期的に計算される。
【０１７２】
タイミング遅延及び／又はタイミング進みを再計算するときである場合、プロセッサ２００はステップＳ７０９に移り、本アルゴリズムを再び実行する。
【０１７３】
タイミング遅延及び／又はタイミング進みを再計算するときではない場合、プロセッサ２００はステップＳ７０５に戻り、タイミング遅延及び／又はタイミング進みを再計算するときがくるまで、ステップＳ７０５〜Ｓ７０８を実行する。
【０１７４】
ここで、ステップＳ７０５〜Ｓ７０８で構成されるループが実行される都度、１つのサブフレーム中で多重化資源が割り振られる端末ＴＥを変更可能であるということに留意する必要がある。また、ステップＳ７０６において多重化資源が割り振られる少なくとも１つの端末ＴＥｉは、他の群に属する別の端末ＴＥｉで随時置換可能である。
【０１７５】
ステップＳ７０９において、プロセッサ２００はパイロットシンボルを端末ＴＥにより転送する必要があるか否かを調べる。
【０１７６】
端末ＴＥがシンボルをアップリンクサブフレームで転送する場合、プロセッサ２００は、これらのシンボルからタイミング進みの時間遅延を求めることができる。端末ＴＥがシンボルをアップリンクサブフレームで転送しない場合、プロセッサ２００は、時間遅延又はタイミング進みを求めるためにパイロットシンボルを受信する必要がある。
【０１７７】
パイロットシンボルを端末ＴＥにより転送する必要がある場合、プロセッサ２００はステップＳ７００に戻り、必要がない場合、ステップＳ７０２に戻る。
【０１７８】
図８は、本発明による端末により実行されるアルゴリズムである。
【０１７９】
本アルゴリズムは、無線通信システムの各端末ＴＥｉにより実行される（ｉ＝１〜３）。より厳密には、本アルゴリズムは各端末ＴＥｉのプロセッサ３００により実行される。
【０１８０】
ステップＳ８００において、プロセッサ３００は、チャネルインタフェース３０５を通じて、基地局ＢＴＳにより転送される少なくとも１つのパイロットシンボルの送信要求を受信したことを検出する。
【０１８１】
次のステップＳ８０１において、プロセッサ３００は、チャネルインタフェース３０５を通じて、基地局ＢＴＳへの少なくとも１つのパイロットシンボルの転送を命令する。
【０１８２】
次のステップＳ８０２において、プロセッサ３００は、チャネルインタフェース３０５を通じて、ダウンリンクシンボルの受信を検出する。端末ＴＥｉと基地局ＢＴＳとの距離に応じて受信シンボル数は異なる。図６の例によれば、４〜６個のシンボルが受信される。これらのシンボルのいくつかは、基地局ＢＴＳのカバーエリア１５内にあるすべての端末ＴＥが処理できるダウンリンクサブフレームの基準部Ｄｒｅｆに含まれ、他は、補助シンボルが割り振られる場合にガード期間内に含まれる補助シンボルである。
【０１８３】
次のステップＳ８０３において、プロセッサ３００は、受信したシンボルに含まれる制御情報の少なくとも１つの所定のフィールドを読み取る。所定のフィールドの例を図１３ａ〜図１３ｆを参照して提供する。
【０１８４】
少なくとも１つの所定のフィールドに含まれる情報は、端末ＴＥｉに割り当てられる多重化資源を示す情報である。
【０１８５】
ここで、受信シンボルは端末ＴＥｉのタイミング遅延ＴＤ（ｄ）及び／又はタイミング進みも含み得ることに留意する必要がある。
【０１８６】
次のステップＳ８０４において、プロセッサ３００は、受信した制御情報の少なくとも１つのフィールドに含まれる、割り振られた多重化資源を示す情報を検索する。
【０１８７】
より厳密には、プロセッサ３００は、端末に割り振ることができる多重化資源を示す情報を含む第１の制御情報の少なくとも１つのフィールドを読み取る。また、プロセッサ３００は、端末ＴＥｉにより時間遅延以内に受信又は転送される少なくとも１つの補助シンボルに対して、第１の群に含まれる端末ＴＥに割り振られるすべての多重化資源が、端末ＴＥｉに割り振られているか否かを示す情報を含む第２の制御情報の少なくとも１つのフィールドを読み取る。
【０１８８】
第１の変形によれば、第２の制御情報は、データと多重化されてダウンリンクサブフレームの基準部に含まれる１つのシンボル、好ましくは第１のシンボルを形成するか、又は、第２の制御情報は、データと多重化されてダウンリンクサブフレームの基準部に含まれるシンボルの少なくとも一部を形成するか、又は、第２の制御情報は、データと多重化されて少なくとも１つの補助シンボルを形成する。
【０１８９】
第１の変形によれば、第２の制御情報は、すべての多重化資源が、時間遅延内に端末ＴＥｉが受信又は転送する少なくとも１つの補助シンボルに対して端末ＴＥｉに割り振られているか否かを示す１つのフィールドを含む。
【０１９０】
第２の制御情報は、別の例では、端末ＴＥｉが時間遅延内に送信且つ／又は受信できる補助シンボル数を少なくとも示す、１つのフィールドを含む。
【０１９１】
第２〜第４の変形によれば、第２の制御情報は、データと多重化されてダウンリンクサブフレームの基準部に含まれる１つのシンボル、例として基準部の第１のシンボルを形成するか、又は、第２の制御情報は、データと多重化されてダウンリンクサブフレームの基準部に含まれるシンボルの少なくとも一部を形成するか、又は、第２の制御情報は、データと多重化されて１つの補助シンボル、例として第１の補助シンボルを形成するか、又は、制御情報の一部がデータと多重化されて少なくとも１つの補助シンボル、例として第１の補助シンボルを形成するとともに、制御情報の別の一部がデータと多重化されて少なくとも１つの他の補助シンボルを形成する。
【０１９２】
同じステップにおいて、プロセッサ３００は、割り振られた多重化資源を示す情報の、チャネルインタフェース３０５への転送を命令する。
【０１９３】
チャネルインタフェース３０５は、端末ＴＥｉが第１の群に属する場合、基地局ＢＴＳが割り振った対応する多重化資源（いくつかある場合）から、端末ＴＥｉが受信したダウンリンクサブフレームの基準部の、図６のｓ１〜ｓ４のような各ダウンリンクシンボルを復調する。
【０１９４】
チャネルインタフェース３０５は、すべての多重化資源が端末ＴＥｉに割り振られている場合、基地局ＢＴＳにより割り振られた対応する多重化資源（いくつかある場合）から、端末ＴＥｉが受信した、図６のｓ５及びｓ６のいずれか一方又は両方のような少なくとも１つの補助ダウンリンクシンボルを復調し、且つ／又は、チャネルインタフェース３０５は、すべての多重化資源が端末ＴＥｉに割り振られている場合、同じ基地局ＢＴＳにより割り振られた対応する多重化資源（いくつかある場合）に、端末ＴＥｉにより転送される少なくとも１つの補助アップリンクシンボルを多重化する。
【０１９５】
次のステップＳ８０５において、プロセッサ３００は、基地局ＢＴＳが少なくとも１つのパイロットシンボルを受信する必要があるか否かを調べる。
【０１９６】
少なくとも１つのパイロットシンボルを受信する必要がある場合、プロセッサ３００はステップＳ８０１に戻り、必要がない場合、ステップＳ８０２に戻る。
【０１９７】
図９は、本発明の第１及び第２の実現形態による、基地局と各端末との間で求められるチャネル品質指標の一例である。
【０１９８】
図９の縦軸には、周波数帯が示される。横軸は、各端末ＴＥｉにより求められると共にダウンリンク多重化資源の利用を最適化するためにアップリンクチャネルを通じて基地局ＢＴＳに報告される、チャネル品質指標の値を表す。
【０１９９】
図９に、端末ＴＥ１〜ＴＥ３により求められるチャネル品質指標曲線を示す。
【０２００】
基地局ＢＴＳは、このような曲線を使用して多重化資源を端末ＴＥ１〜ＴＥ３に割り振る。
【０２０１】
アップリンクチャネルの場合、アップリンク多重化資源の利用を最適化するために、基地局ＢＴＳは各アップリンクチャネルでのチャネル品質指標を求める。
【０２０２】
図１０ａは、本発明の実現の第１の変形において、本発明の第１及び第２の実現形態による端末に割り振られる、無線通信システムの多重化資源の一例である。
【０２０３】
第１の変形によれば、第１の群はすべての端末ＴＥを含み、少なくとも１つの他の群は、最大数の補助シンボルを受信又は送信できる端末ＴＥを含む第２の群である。
【０２０４】
図１０ａは、４個のシンボルがダウンリンクサブフレームの基準部に含まれ、２個のシンボルが補助シンボルである一例を開示している。
【０２０５】
図１０ａは、１００１〜１０１２と記されている１２行及び１０５１〜１０５６と記されている６列の表を表す。各行１００１〜１０１２は、第１の実現形態によれば周波数チャンクを表し、又は第２の実現形態によれば符号を表す。各列１０５１〜１０５６はシンボルを表す。好ましくは、このような表は各サブフレーム毎に生成される。
【０２０６】
ここで、より多数の周波数チャンク又は符号を本発明において割り振ることができ、又はより少数の周波数チャンク又は符号を本発明において割り振ることができることに留意する必要がある。
【０２０７】
列１０５１はシンボルｓ１を表し、列１０５２はシンボルｓ２を表し、列１０５３はシンボルｓ３を表し、列１０５４はシンボルｓ４を表し、列１０５５は補助シンボルｓ５を表し、列１０５６は補助シンボルｓ６を表す。
【０２０８】
基地局ＢＴＳにより決定される第１の群は、ｎｄｌＴＥｉがヌル値以上の端末ＴＥ１〜ＴＥ３を含む。
【０２０９】
基地局ＢＴＳは、シンボルｓ１〜ｓ４に対して、１００１〜１００３及び１０１０〜１０１２と記されている周波数チャンク又は符号を端末ＴＥ１に割り振る。
【０２１０】
基地局ＢＴＳは、シンボルｓ１〜ｓ４に対して、１００４〜１００６と記されている周波数チャンク又は符号を端末ＴＥ２に割り振る。
【０２１１】
基地局ＢＴＳは、シンボルｓ１〜ｓ４に対して、１００７〜１００９と記されている周波数チャンク又は符号を端末ＴＥ３に割り振る。
【０２１２】
基地局ＢＴＳは、図６のダウンリンクサブフレームの基準部に含まれるシンボルｓ１〜ｓ４のすべてについて、１つの端末ＴＥｉに同じ周波数チャンク又は符号を割り振る。
【０２１３】
基地局ＢＴＳは、補助シンボルｓ５及びｓ６について、ダウンリンクサブフレームの基準部に含まれるシンボルに対して第１の群に含まれる端末ＴＥに割り当てられた多重化資源を、端末ＴＥ３に割り振る。より厳密には、第１の群に含まれる端末に割り振られるすべての周波数チャンク又は符号は、シンボルｓ５及びｓ６について、ｎｄｌＴＥｉが２に等しい端末ＴＥ３に割り振られる。
【０２１４】
図１０ｂは、本発明の実現の第２の変形において、本発明の第１及び第２の実現形態による端末に割り振られる無線通信システムの多重化資源の一例である。
【０２１５】
第２の変形によれば、第１の群はすべての端末ＴＥを含み、少なくとも２つの他の群が形成される。複数の他の群は、少なくとも、第１の数の補助シンボルを受信且つ／又は送信できる端末ＴＥを含む第２の群と、第２の数の補助シンボルを受信且つ／又は送信できる端末ＴＥを含む第３の群とである。
【０２１６】
図１０ｂは、４個のシンボルがダウンリンクサブフレームの基準部に含まれ、２個のシンボルが補助シンボルである一例を開示している。
【０２１７】
図１０ｂは、１１０１〜１１１２と記されている１２行及び１１５１〜１１５６と記されている６列の表を表す。各行１１０１〜１１１２は、第１の実現形態によれば周波数チャンクを表し、又は第２の実現形態によれば符号を表す。各列１１５１〜１１５６はシンボルを表す。好ましくは、このような表は各サブフレーム毎に生成される。
【０２１８】
ここで、より多数の周波数チャンク又は符号を本発明において割り振ることができ、又はより少数の周波数チャンク又は符号を本発明において割り振ることができることに留意する必要がある。
【０２１９】
列１１５１はシンボルｓ１を表し、列１１５２はシンボルｓ２を表し、列１１５３はシンボルｓ３を表し、列１１５４はシンボルｓ４を表し、列１１５５は補助シンボルｓ５を表し、列１１５６は補助シンボルｓ６を表す。
【０２２０】
基地局ＢＴＳにより決定される第１の群は、ｎｄｌＴＥｉがヌル値以上の端末ＴＥ１〜ＴＥ３を含む。
【０２２１】
基地局ＢＴＳは、シンボルｓ１〜ｓ４に対して、１１０１〜１１０３及び１１１０〜１１１２と記されている周波数チャンク又は符号を端末ＴＥ１に割り振る。
【０２２２】
基地局ＢＴＳは、シンボルｓ１〜ｓ４に対して、１１０４〜１１０６と記されている周波数チャンク又は符号を端末ＴＥ２に割り振る。
【０２２３】
基地局ＢＴＳは、シンボルｓ１〜ｓ４に対して、１１０７〜１１０９と記されている周波数チャンク又は符号を端末ＴＥ３に割り振る。
【０２２４】
基地局ＢＴＳは、図６の例に従って、ダウンリンクサブフレームの基準部Ｄｒｅｆに含まれるシンボルｓ１〜ｓ４のすべてについて、１つの端末ＴＥｉに同じ周波数チャンク又は符号を割り振る。
【０２２５】
基地局ＢＴＳは、少なくとも２つの他の群を決定する。少なくとも２つの他の群は、少なくとも、ｎｄｌＴＥｉが１に等しい端末ＴＥ、すなわち端末ＴＥ２を含む第２の群と、ｎｄｌＴＥｉが２に等しい端末ＴＥ、すなわち端末ＴＥ３を含む第３の群とである。
【０２２６】
基地局ＢＴＳは、ダウンリンクサブフレームの基準部に含まれるシンボルに対して第１の群に含まれる端末ＴＥに割り当てられた多重化資源を、補助シンボルｓ５に対して端末ＴＥ２に割り振る。より厳密には、シンボルｓ５のサブフレームのすべての周波数チャンク又は符号が端末ＴＥ２に割り振られる。
【０２２７】
基地局ＢＴＳは、ダウンリンクサブフレームの基準部に含まれるシンボルに対して第１の群に含まれる端末ＴＥに割り当てられた多重化資源を、補助シンボルｓ６に対して端末ＴＥ３に割り振る。より厳密には、基地局ＢＴＳは、シンボルｓ６のサブフレームのすべての周波数チャンク又は符号を端末ＴＥ３に割り振る。
【０２２８】
図１０ｃは、実現の第３の変形において、本発明の第１及び第２の実現形態による端末に割り振られる無線通信システムの多重化資源の一例である。
【０２２９】
第３の変形によれば、第１の群は、時間遅延中に最大で第１の数の補助シンボルを受信且つ／又は送信できる端末ＴＥの一部を含み、少なくとも２つの他の群が形成される。複数の他の群は、少なくとも、第１の数の補助シンボルを受信且つ／又は送信できる端末ＴＥを含む第２の群と、第２の数の補助シンボルを受信且つ／又は送信できる端末ＴＥを含む第３の群とである。
【０２３０】
図１０ｃは、４個のシンボルがダウンリンクサブフレームの基準部に含まれ、２個のシンボルが補助シンボルである一例を開示している。
【０２３１】
図１０ｃは、１２０１〜１２１２と記されている１２行及び１２５１〜１２５６と記されている６列の表を表す。各行１２０１〜１２１２は、第１の実現形態によれば周波数チャンクを表し、又は第２の実現形態によれば符号を表す。各列１２５１〜１２５６は図６のシンボルを表す。好ましくは、このような表は各サブフレーム毎に生成される。
【０２３２】
ここで、より多数の周波数チャンク又は符号を本発明において割り振ることができ、又はより少数の周波数チャンク又は符号を本発明において割り振ることができることに留意する必要がある。
【０２３３】
列１２５１はシンボルｓ１を表し、列１２５２はシンボルｓ２を表し、列１２５３はシンボルｓ３を表し、列１２５４はシンボルｓ４を表し、列１２５５は補助シンボルｓ５を表し、列１２５６は補助シンボルｓ６を表す。
【０２３４】
基地局ＢＴＳにより決定される第１の群は、ｎｄｌＴＥｉが１以下の端末ＴＥ１及びＴＥ２を含む。
【０２３５】
基地局ＢＴＳは、シンボルｓ１〜ｓ４に対して、１２０１〜１２０３及び１２１０〜１２１２と記されている周波数チャンク又は符号を端末ＴＥ１に割り振る。
【０２３６】
基地局ＢＴＳは、シンボルｓ１〜ｓ４に対して、１２０４〜１２０９と記されている周波数チャンク又は符号を端末ＴＥ２に割り振る。
【０２３７】
基地局ＢＴＳは、図６の基準部Ｄｒｅｆに含まれるシンボルｓ１〜ｓ４のすべてについて、１つの端末ＴＥｉに同じ周波数チャンク又は符号を割り振る。
【０２３８】
基地局ＢＴＳは、ｎｄｌＴＥｉが１に等しい端末ＴＥ、すなわち端末ＴＥ２を含む第２の群と、ｎｄｌＴＥｉが２に等しい端末ＴＥ、すなわち端末ＴＥ３を含む第３の群とを形成する。
【０２３９】
基地局ＢＴＳは、ダウンリンクサブフレームの基準部に含まれるシンボルに対して第１の群に含まれる端末ＴＥに割り当てられた多重化資源を、補助シンボルｓ５に対して端末ＴＥ２に割り振る。より厳密には、基地局ＢＴＳは、補助シンボルｓ５のサブフレームのすべての周波数チャンク又は符号を端末ＴＥ２に割り振る。基地局ＢＴＳは、シンボルｓ６のサブフレームのすべての周波数チャンク又は符号を端末ＴＥ３に割り振る。
【０２４０】
図１１は、本発明の第３の実現形態による、基地局と各端末との間で求められるチャネル品質指標の一例である。
【０２４１】
図１１の縦軸には、異なるビームであるビーム１〜ビーム４が示され、且つ横軸は、各端末ＴＥｉにより求められると共にダウンリンク多重化資源の利用を最適化するためにアップリンクチャネルを通じて基地局ＢＴＳに報告されるチャネル品質指標の値を表す。
【０２４２】
図１１に、端末ＴＥ１〜ＴＥ３により求められるチャネル品質指標曲線を示す。
【０２４３】
基地局ＢＴＳは、このような曲線を使用して、多重化資源を端末ＴＥ１〜ＴＥ３に割り振る。
【０２４４】
アップリンクチャネルの場合、アップリンク多重化資源の利用を最適化するために、基地局ＢＴＳは各アップリンクチャネルでのチャネル品質指標を求める。
【０２４５】
図１２は、本発明の第３の実現形態による端末に本発明により割り振られる、無線通信システムの多重化資源の一例である。
【０２４６】
図１２は、４個のシンボルがダウンリンクサブフレームの基準部に含まれ、２個のシンボルが補助シンボルである一例を開示する。
【０２４７】
図１２は、１２１〜１２４と記されている４行及び１２５〜１３０と記されている６列の表を表す。各行１２１〜１２４は、第３の実現形態により信号が基地局ＢＴＳにより向けられるビーム又はエリアを表し、各列１２５〜１３０は図６のシンボルを表す。好ましくは、このような表は各サブフレーム毎に生成される。
【０２４８】
列１２５はシンボルｓ１を表し、列１２６はシンボルｓ２を表し、列１２７はシンボルｓ３を表し、列１２８はシンボルｓ４を表し、列１２９は補助シンボルｓ５を表し、列１３０は補助シンボルｓ６を表す。
【０２４９】
基地局ＢＴＳにより決定される第１の群は、ｎｄｌＴＥｉがヌル値以上の端末ＴＥ１、ＴＥ２、及びＴＥ３を含む。
【０２５０】
基地局ＢＴＳは、シンボルｓ１〜ｓ４に対して、１２１及び１２２と記されているビーム１及びビーム２を端末ＴＥ１に割り振る。
【０２５１】
基地局ＢＴＳは、シンボルｓ１〜ｓ４に対して、１２３と記されているビーム３を端末ＴＥ２に割り振る。
【０２５２】
基地局ＢＴＳは、シンボルｓ１〜ｓ４に対して、１２４と記されているビーム４を端末ＴＥ３に割り振る。
【０２５３】
基地局ＢＴＳは、ｎｄｌＴＥｉが１に等しい端末ＴＥ、すなわち端末ＴＥ２を含む第２の群と、ｎｄｌＴＥｉが２に等しい端末ＴＥ、すなわち端末ＴＥ３を含む第３の群とを形成する。
【０２５４】
基地局ＢＴＳは、ダウンリンクサブフレームの基準部に含まれるシンボルに対して第１の群に含まれる端末ＴＥに割り当てられた多重化資源を、補助シンボルｓ５に対して端末ＴＥ２に割り振る。より厳密には、基地局ＢＴＳは、サブフレームのすべてのビーム１２１〜１２４を、補助シンボルｓ５に対して端末ＴＥ２に割り振る。基地局ＢＴＳは、サブフレームのすべてのビーム１２１〜１２４を、補助シンボルｓ６に対して端末ＴＥ３に割り振る。
【０２５５】
ここで、本発明の第１及び第２の実現形態において図１０を参照して示した様々な割り振り方式も第３の実現形態に適用可能なことに留意する必要がある。
【０２５６】
図１３ａ〜図１３ｆは、基地局により端末に転送される本発明により割り振られた多重化資源を示す情報を伝達する制御情報を示す。
【０２５７】
図１３ａは、第１の群に属する端末ＴＥに割り振られた多重化資源を示す情報を伝達する制御情報の第１の例を開示する。
【０２５８】
図１３ａは、４個のシンボルがダウンリンクサブフレームの基準部に含まれ、２個のシンボルが補助シンボルである一例を開示している。
【０２５９】
制御情報は、好ましくは、他のデータと多重化されてダウンリンクサブフレームの基準部に含まれる少なくとも１個のシンボル、例として第１のシンボルｓ１を形成するか、又は、制御情報は、他のデータと多重化されてダウンリンクサブフレームの基準部に含まれるシンボル（図６の例によればシンボルｓ１〜ｓ４）の少なくとも一部を形成する。
【０２６０】
制御情報は、カバーエリア１５内にある端末ＴＥの数と同数の行を含む。図１の例によれば、制御情報は１３０１〜１３０３と記されている３行を含む。各行は、ＩＤ  ＴＥｉと記されている端末ＴＥｉの識別子を含む第１のフィールドと、第２のフィールドとを含む。第２のフィールドは、多重化資源の数と同数のビットを含む。各ビットのバイナリ値が、基地局ＢＴＳが多重化資源を割り振った端末ＴＥｉを示す。
【０２６１】
図１０ａの例を参照すると、行１３０１の第２のフィールドに含まれるバイナリシーケンス「１１１００００００１１１」は、基地局ＢＴＳが周波数チャンク又は符号１００１〜１００３及び１０１０〜１０１２を端末ＴＥ１に割り振ったということを端末ＴＥ１に示す。行１３０２の第２のフィールドに含まれるバイナリシーケンス「０００１１１００００００」は、基地局ＢＴＳが周波数チャンク又は符号１００４〜１００６を端末ＴＥ２に割り振ったということを端末ＴＥ２に示す。行１３０３の第２のフィールドに含まれるバイナリシーケンス「００００００１１１０００」は、基地局ＢＴＳが周波数チャンク又は符号１００７〜１００９を端末ＴＥ３に割り振ったということを端末ＴＥ３に示す。
【０２６２】
図１３ｂは、第１の群に属する端末に割り振られた多重化資源を示す情報を伝達する制御情報の第２の例を開示する。
【０２６３】
図１３ｂは、４個のシンボルがダウンリンクサブフレームの基準部に含まれ、２個のシンボルが補助シンボルである第２の例を開示している。
【０２６４】
制御情報は、好ましくは、他のデータと多重化されてダウンリンクサブフレームの基準部に含まれる少なくとも１個のシンボル、例として第１のシンボルｓ１を形成するか、又は、制御情報は、他のデータと多重化されて、ダウンリンクサブフレームの基準部に含まれるシンボル（図６の例によればシンボルｓ１〜ｓ４）の少なくとも一部を形成する。
【０２６５】
制御情報は、多重化資源の数と同数の行を含む。列１３０５は各多重化資源の識別子を含み、列１３０６は、その行で識別される多重化資源が割り振られる端末ＴＥｉの簡易識別子(short identifier)を含む。
【０２６６】
簡易識別子は、少なくとも１つのサブフレームに対する端末ＴＥｉの識別子を置き換えるバイナリシーケンスである。
【０２６７】
図１３ｃは、多重化資源が割り振られる各端末の簡易識別子とその端末の識別子との間の対応を示す対応表である。
【０２６８】
図１３ｃは、４個のシンボルがダウンリンクサブフレームの基準部に含まれ、２個のシンボルが補助シンボルである一例を開示している。
【０２６９】
対応表は各サブフレームで求められ、ダウンリンクチャネルを通じて端末ＴＥに転送される。対応表は、多重化資源が割り振られる端末ＴＥの数と同数の行を含む。
【０２７０】
図１の例によれば、３つの端末ＴＥのみがカバーエリア１５内に含まれ、多重化資源は各端末ＴＥｉに割り振られ、各簡易識別子は２ビットシーケンスである。「０１」は端末ＴＥ１を識別し、「１０」は端末ＴＥ２を識別し、「１１」は端末ＴＥ３を識別する。
【０２７１】
図１３ｂの例を参照すると、「１」〜「３」及び「１０」〜「１２」と記されている多重化資源は端末ＴＥ１に割り振られ、「４」〜「６」と記されている多重化資源は端末ＴＥ２に割り振られ、「７」〜「９」と記されている多重化資源は端末ＴＥ３に割り振られる。
【０２７２】
本発明の第１及び第２の実現形態によれば、多重化資源１〜１２はそれぞれ、図１０ａの周波数チャンク１００１〜１０１２、図１０ｂの周波数チャンク１１０１〜１１１２、及び図１０ｃの周波数チャンク１２０１〜１２１２に対応する。
【０２７３】
図１３ｄは、実現の第１の変形による、別の群に属する少なくとも１つの端末の割り振られた多重化資源を示す情報を伝達する制御情報の第１の例を開示する。
【０２７４】
図１３ｄの例によれば、他の群に含まれる１つの端末ＴＥｉに割り振られた多重化資源は、すべての補助シンボルに対して割り振られる。
【０２７５】
より厳密には、制御情報は、第１の群に含まれている端末ＴＥに割り振られたすべての多重化資源が、すべての補助シンボルに対してその端末ＴＥｉに割り振られているか否かを示す１つのフィールドを各端末毎に含む。
【０２７６】
制御情報はデータと多重化されて、ダウンリンクサブフレームの基準部に含まれる少なくとも１つのシンボルを形成するか、又はデータと多重化されて、少なくとも１つの補助シンボル、例として第１の補助シンボルを形成する。
【０２７７】
図１３ｄは、４個のシンボルがダウンリンクサブフレームの基準部に含まれ、２個のシンボルが補助シンボルである一例を開示する。
【０２７８】
制御情報は他のデータと多重化されて、ダウンリンクサブフレームの基準部に含まれる１つのシンボルｓ１を形成するか、又は、他のデータと多重化されてダウンリンクサブフレームの基準部に含まれるシンボルｓ１〜ｓ４の少なくとも一部を形成するか、又は他のデータと多重化されて第１の補助シンボルｓ５を形成する。
【０２７９】
制御情報は、多重化資源がサブフレームに割り振られる端末ＴＥの数と同数の行を含む。制御情報は３つの行１３０７〜１３０９を含む。各行は、すべての補助シンボルｓ５及びｓ６に対して端末ＴＥｉに多重化資源が割り振られているか否かを、対応する端末ＴＥｉに示すフラグを含むフィールドを含む。
【０２８０】
行１３０７及び１３０８は、補助シンボルが端末ＴＥ１及びＴＥ２に割り振られていないことを示し、行１３０９はすべての補助シンボルが端末ＴＥ３に割り振られていることを示す。
【０２８１】
基地局は、ダウンリンクサブフレームの基準部に含まれるシンボルに対して第１の群に含まれる端末ＴＥに割り振られた多重化資源を、補助シンボルｓ５及びｓ６に対して端末ＴＥ３に割り振る。より厳密には、第１の群に属する端末に割り振られたすべての周波数チャンク又は符号は、補助シンボルｓ５及びｓ６に対して、ＮｄｌＴＥｉ（すなわち図６の例によるｎｄｌＴＥｉ）が最大の端末ＴＥ３に割り振られる。
【０２８２】
図１３ｃは、実現の第１の変形による、別の群に属する少なくとも１つの端末ＴＥｉの割り振られた多重化資源を示す情報を伝達する制御情報の第２の例を開示する。
【０２８３】
図１３ｅの例によれば、他の群に含まれる１つの端末ＴＥｉに割り振られた多重化資源は、すべての補助シンボルに対して割り振られる。
【０２８４】
より厳密には、制御情報は、第１の群に含まれている端末ＴＥに割り振られたすべての多重化資源が、すべての補助シンボルに対してその端末ＴＥｉに割り振られているか否かを示す１つのフィールドを各端末毎に含む。
【０２８５】
制御情報はデータと多重化されて、ダウンリンクサブフレームの基準部に含まれる１つのシンボルを形成するか、又はデータと多重化されて、ダウンリンクサブフレームの基準部に含まれるシンボルの少なくとも一部を形成するか、又はデータと多重化されて、少なくとも１つの補助シンボル、例として第１の補助シンボルを形成する。
【０２８６】
図１３ｅは、４個のシンボルがダウンリンクサブフレームの基準部に含まれ、２個のシンボルが補助シンボルである一例を開示する。
【０２８７】
制御情報は他のデータと多重化されて、ダウンリンクサブフレームの基準部に含まれる１つのシンボルｓ１を形成するか、又は他のデータと多重化されてダウンリンクサブフレームの基準部に含まれるシンボルｓ１〜ｓ４の少なくとも一部を形成するか、又は他のデータと多重化されて第１の補助シンボルｓ５を形成する。
【０２８８】
制御情報は、そのサブフレームに対して多重化資源が割り振られる端末ＴＥの数と同数の行を含む。図１０ｂの例によれば、制御情報は３つの行を含む。各行は、ダウンリンクチャネルを通じて対応する端末ＴＥｉが受信できるシンボルの数（例としてバイナリの形での数）を含む所定のフィールドを含む。
【０２８９】
図１０ｂの例によれば、端末ＴＥ３は６個のシンボルを受信することができ、基地局ＢＴＳは、補助シンボルｓ５及びｓ６に対して端末ＴＥ３に割り振り、端末ＴＥ１及びＴＥ２に補助シンボルを割り振らない。値６から、端末ＴＥ３は、シンボルｓ５及びｓ６に対してすべての周波数チャンク又は符号が端末ＴＥ３に割り振られていると推定する。
【０２９０】
一変形では、各行は、端末ＴＥｉがダウンリンクチャネルで受信できる補助シンボルの数（例としてバイナリの形での数）を含む所定のフィールドを含む。
【０２９１】
値２から、端末ＴＥ３は、シンボルｓ５及びｓ６に対してサブフレームのすべての周波数チャンク又は符号が端末ＴＥ３に割り割り振られていると推定する。
【０２９２】
図１３ｆは、実現の第２、第３又は第４の変形による、別の群に属する少なくとも１つの端末ＴＥｉの割り振られた多重化資源を示す情報を伝達する制御情報の一例を開示する。
【０２９３】
実現の第２、第３、又は第４の変形によれば、第２の群に含まれる１つの端末ＴＥｉに割り振られた多重化資源は、第１の数の補助シンボルに対して割り振られ、第３の群に含まれる別の端末ＴＥｉに割り振られた多重化資源は、第２の数の補助シンボルに対して割り振られる。
【０２９４】
より厳密には、第２の制御情報は、少なくとも２つのフィールドを各端末毎に含む。すなわち、少なくとも、そのサブフレームについて第１の群に含まれる端末ＴＥに割り振られているすべての多重化資源を、端末ＴＥｉが第１の数の補助シンボルのために使用できるか否かを示す第１のフィールドと、そのサブフレームについて第１の群に含まれる端末ＴＥに割り振られているすべての多重化資源を、端末ＴＥｉが第２の数の補助シンボルのために使用できるか否かを示す第２のフィールドとである。
【０２９５】
制御情報はデータと多重化されてダウンリンクサブフレームの基準部に含まれる１つのシンボルを形成するか、又は、制御情報はデータと多重化されてダウンリンクサブフレームの基準部に含まれるシンボルの少なくとも一部を形成するか、又は制御情報はデータと多重化されて少なくとも１つの補助シンボルを形成するか、又は、制御情報の一部がデータと多重化されて少なくとも１つの補助シンボルを形成するとともに、制御情報の別の一部がデータと多重化されて少なくとも１つの他の補助シンボルを形成する。
【０２９６】
図１３ｆは、４個のシンボルがダウンリンクサブフレームの基準部に含まれ、２個のシンボルが補助シンボルである一例を開示する。
【０２９７】
制御情報は他のデータと多重化されてダウンリンクサブフレームの基準部に含まれる１つのシンボルｓ１を形成するか、又は、制御情報は他のデータと多重化されてダウンリンクサブフレームの基準部に含まれるシンボルｓ１〜ｓ４の少なくとも１部を形成するか、又は、制御情報は他のデータと多重化されて第１の補助シンボルｓ５を形成するか、又は、制御情報の列１３１０が他のデータと多重化されて第１の補助シンボルｓ５を形成するとともに、制御情報の列１３１１が他のデータと多重化されて第２の補助シンボルｓ６を形成する。
【０２９８】
制御情報は、多重化資源が割り振られるカバーエリア１５内の端末ＴＥの数と同数の行を含む。図１の例によれば、制御情報は３つの行を含む。列１３１０および１３１１は、カバーエリア１５内の端末ＴＥの数と同数のフラグを含む。
【０２９９】
図１０ｂによれば、基地局ＢＴＳは、ダウンリンクサブフレームの基準部に含まれるシンボルに対して第１の群に含まれる端末ＴＥに割り振られた多重化資源を、補助シンボルｓ５に対して端末ＴＥ２に割り振る。
【０３００】
したがって、列１３１０の２番目のフィールドに含まれるフラグはバイナリ値１であり、列１３１０の１番目及び３番目のセルはバイナリ値０である。そのフラグから、端末ＴＥ２は、サブフレームのすべての周波数チャンク又は符号が、補助シンボルｓ５に対して端末ＴＥ２自身に割り振られたと判断する。
【０３０１】
図１０ｂによれば、基地局ＢＴＳは、ダウンリンクサブフレームの基準部に含まれるシンボルに対して第１の群に含まれる端末ＴＥに割り振られた多重化資源を、補助シンボルｓ６に対して端末ＴＥ３に割り振る。
【０３０２】
したがって、列１３１１の３番目のフィールドに含まれるフラグはバイナリ値１であり、列１３１１の１番目及び２番目のセルはバイナリ値０である。そのフラグから、端末ＴＥ３は、サブフレームのすべての周波数チャンク又は符号が、補助シンボルｓ６に対して端末ＴＥ３自身に割り振られていると判断する。
【０３０３】
ここで、図１３が補助ダウンリンクシンボルに向けて開示されていることに留意する必要がある。本発明は補助アップリンクシンボルにも適用可能である。
【０３０４】
そのような場合、別の群に属する少なくとも１つの端末ＴＥｉについて割り振られた多重化資源を示す情報を伝達する制御情報は、他のデータと多重化されて、ダウンリンクサブフレームの基準部に含まれる第１のシンボルｓ１を形成するか、又は他のデータと多重化されて、ダウンリンクサブフレームの基準部に含まれるシンボルｓ１〜ｓ４の少なくとも一部を形成する。
【０３０５】
当然ながら、本発明の範囲から逸脱することなく、上述した本発明の実施形態に多くの変更を行うことが可能である。
【図面の簡単な説明】
【０３０６】
【図１】本発明が実施される無線通信システムの構造を表す図である。
【図２】本発明による無線通信システムの基地局の構造を表す図である。
【図３】本発明による無線通信システムの端末の構造を表す図である。
【図４】従来のＨＤ／ＯＦＤＭフレームの構造を示すクロノグラムである。
【図５】従来技術による通信システムのダウンリンクでの情報の送信を示すクロノグラムである。
【図６】従来技術による通信システムのダウンリンクでの情報の送信を示すクロノグラムである。
【図７】本発明による基地局により実行されるアルゴリズムである。
【図８】本発明による端末により実行されるアルゴリズムである。
【図９】本発明の第１及び第２の実現形態により基地局と各端末との間で求められるチャネル品質指標の一例である。
【図１０ａ】本発明の実現の第１の変形において、本発明の第１及び第２の実現形態による端末に割り振られる、無線通信システムの多重化資源の一例である。
【図１０ｂ】本発明の実現の第２の変形において、本発明の第１及び第２の実現形態による端末に割り振られる、無線通信システムの多重化資源の一例である。
【図１０ｃ】実現の第３の変形において、本発明の第１及び第２の実現形態による端末に割り振られる、無線通信システムの多重化資源の一例である。
【図１１】本発明の第３の実現形態により基地局と各端末との間で求められるチャネル品質指標の一例である。
【図１２】本発明の第３の実現形態による端末に、本発明により割り振られる無線通信システムの多重化資源の一例である。
【図１３ａ】基地局により端末に転送される本発明により割り振られた多重化資源を示す情報を伝達する制御情報を示す図である。
【図１３ｂ】基地局により端末に転送される本発明により割り振られた多重化資源を示す情報を伝達する制御情報を示す図である。
【図１３ｃ】端末の各簡易識別子とその端末の識別子との間の対応を示す対応表である。
【図１３ｄ】基地局により端末に転送される本発明による割り振られた多重化資源を示す情報を伝達する制御情報を示す。
【図１３ｅ】基地局により端末に転送される本発明による割り振られた多重化資源を示す情報を伝達する制御情報を示す。
【図１３ｆ】基地局により端末に転送される本発明による割り振られた多重化資源を示す情報を伝達する制御情報を示す。
【図１】
2008160806.tif 000003
【図２】
2008160806.tif 000004
【図３】
2008160806.tif 000005
【図４】
2008160806.tif 000006
【図５】
2008160806.tif 000007
【図６】
2008160806.tif 000008
【図７】
2008160806.tif 000009
【図８】
2008160806.tif 000010
【図９】
2008160806.tif 000011
【図１０ａ】
2008160806.tif 000012
【図１０ｂ】
2008160806.tif 000013
【図１０ｃ】
2008160806.tif 000014
【図１１】
2008160806.tif 000015
【図１２】
2008160806.tif 000016
【図１３ａ】
2008160806.tif 000017
【図１３ｂ】
2008160806.tif 000018
【図１３ｃ】
2008160806.tif 000019
【図１３ｄ】
2008160806.tif 000020
【図１３ｅ】
2008160806.tif 000021
【図１３ｆ】
2008160806.tif 000022
【外国語明細書】
2008160806.tif 000023
2008160806.tif 000024
2008160806.tif 000025
2008160806.tif 000026
2008160806.tif 000027
2008160806.tif 000028
2008160806.tif 000029
2008160806.tif 000030
2008160806.tif 000031
2008160806.tif 000032
2008160806.tif 000033
2008160806.tif 000034
2008160806.tif 000035
2008160806.tif 000036
2008160806.tif 000037
2008160806.tif 000038
2008160806.tif 000039
2008160806.tif 000040
2008160806.tif 000041
2008160806.tif 000042
2008160806.tif 000043
2008160806.tif 000044
2008160806.tif 000045
2008160806.tif 000046
2008160806.tif 000047
2008160806.tif 000048
2008160806.tif 000049
2008160806.tif 000050
2008160806.tif 000051
2008160806.tif 000052
2008160806.tif 000053
2008160806.tif 000054
2008160806.tif 000055
2008160806.tif 000056
2008160806.tif 000057
2008160806.tif 000058
2008160806.tif 000059
2008160806.tif 000060
2008160806.tif 000061
2008160806.tif 000062
2008160806.tif 000063
2008160806.tif 000064
2008160806.tif 000065
2008160806.tif 000066
2008160806.tif 000067
2008160806.tif 000068
2008160806.tif 000069
2008160806.tif 000070
2008160806.tif 000071
2008160806.tif 000072
2008160806.tif 000073
2008160806.tif 000074
2008160806.tif 000075
2008160806.tif 000076
2008160806.tif 000077
2008160806.tif 000078
2008160806.tif 000079
2008160806.tif 000080
2008160806.tif 000081
2008160806.tif 000082
2008160806.tif 000083